(57)【要約】  本出願の実施例は、通信技術の分野に関連するリソーススケジューリング方法およびデバイスを提供し、ＳＬ上のリソースをどのようにスケジューリングするかが関連技術において提案されていないという問題を解決することができる。この方法は、ＳＬ上で送信する必要があるデータを有する場合またはＳＬのＢＳＲがスケジューリングリクエストＳＲをトリガーする場合、ターゲットリソースを介してネットワーク側デバイスにＳＲを送信するステップであって、前記ＳＲは、前記ネットワーク側デバイスに前記端末装置のためにＳＬ送信リソースを設定するよう要求するために使用される、ステップを含む。本出願の実施例は、ＳＬ上でリソースを送信するスケジューリングのために使用される。
2022501947.tif 000002
【特許請求の範囲】
【請求項１】
サイドリンクＳＬ上で送信する必要があるデータを有する場合、またはＳＬのバッファ状態レポートＢＳＲがスケジューリングリクエストＳＲをトリガーする場合、ターゲットリソースを介してリソーススケジューリングデバイスにＳＲを送信するステップであって、
前記ＳＲは、前記リソーススケジューリングデバイスに、前記端末装置のためにＳＬ送信リソースを設定するよう要求するために使用される、ステップを含む、端末装置に適用されるリソーススケジューリング方法。
【請求項２】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットであることを特徴とする請求項１に記載の方法。
【請求項３】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、前記ターゲットリソースおよび／または前記ターゲットリソースのフォーマットは、通信プロトコルによって指定されていることを特徴とする、請求項２に記載の方法。
【請求項４】
前記方法は、前記ターゲットリソースを介して前記リソーススケジューリングデバイスにＳＲを送信する前に、
ターゲットデータパケット、ターゲットデータフロー、ターゲットサービス、ターゲット論理チャネル、ターゲット無線ベアラ、前記端末装置、およびターゲット無線アクセスタイプＲＡＴによって決定されるターゲットリソース、ターゲットソース識別子、およびターゲット目的識別子の少なくとも１つに従って、前記ターゲットリソースを決定するステップであって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ステップをさらに含む請求項１に記載の方法。
【請求項５】
前記ターゲットリソースは、ターゲッータパケット、ターゲットデータストリーム、ターゲットサービス、ターゲット論理チャネル、ターゲット無線ベアラ、前記端末装置、ターゲット無線アクセスタイプＲＡＴによって決定された前記ターゲットリソース、ターゲットソース識別子、ターゲット目的識別子の少なくとも１つに従って決定され、
優先度情報と第一のマッピング関係に従って前記ターゲットリソースを決定するステップであって、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む、ステップと、
送信方式と第二のマッピング関係に従って前記ターゲットリソースを決定するステップであって、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む、ステップと、
データ量と第三のマッピング関係に従って前記ターゲットリソースを決定するステップであって、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む、ステップと、
持続時間と第四のマッピング関係に従って前記ターゲットリソースを決定するステップであって、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む、ステップと、
遅延需要と第五のマッピング関係に従って前記ターゲットリソースを決定するステップであって、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、前記第五のマッピング関係は、前記遅延需要と前記ターゲットリソースとのマッピング関係を含む、ステップと、
信頼性需要と第六のマッピング関係に従って前記ターゲットリソースを決定するステップであって、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む、ステップと、
重複送信回数と第七のマッピング関係に従って前記ターゲットリソースを決定するステップであって、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含み、前記第七のマッピング関係は、前記重複送信回数と前記ターゲットリソースとのマッピング関係を含む、ステップと、
通信距離と第八のマッピング関係に従って前記ターゲットリソースを決定するステップであって、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む、ステップと、
送信レートと第九のマッピング関係に従って前記ターゲットリソースを決定するステップであって、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む、ステップと、
データレートと第十のマッピング関係に従って前記ターゲットリソースを決定するステップであって、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、第十のマッピング関係は、前記データレートと前記ターゲットリソースとのマッピング関係を含む、ステップのうちの少なくとも１つを実行することを特徴とする請求項４に記載の方法。
【請求項６】
ターゲットリソースを介して端末装置によって送信されたスケジューリングリクエストＳＲを受信するステップであって、前記ＳＲは、前記リソーススケジューリングデバイスに、前期端末装置のためにサイドリンクＳＬ上で送信する必要があるデータまたはＳＬのバッファ状態レポートＢＳＲのデータバッファ状態によって指示されたデータのリソースを設定するように構成される、ステップと、
前記ＳＲと前記ターゲットリソースに従って、前記端末装置のためにＳＬ送信リソースを設定するステップとを含む、リソーススケジューリングデバイスに適用されるリソーススケジューリング方法。
【請求項７】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースである、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである、
前記方法は、また、
前記ターゲットリソースおよび／または前記ターゲットリソースのフォーマットに従って、前記端末装置がＳＬ上で送信する必要があるデータを有することまたはＳＬのＢＳＲがスケジューリングリクエストＳＲをトリガーすることを決定することをさらに含むことを特徴とする、請求項６に記載の方法。
【請求項８】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、ターゲットリソースおよび／またはターゲットリソースのフォーマットが通信プロトコルによって指定されていることを特徴とする、請求項７に記載の方法。
【請求項９】
前記ＳＲおよび前記ターゲットリソースに従って、前記端末装置のためにＳＬ送信リソースを設定することであって、
前記ターゲットリソースに従って、ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つを決定することと、
前記ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つ、及び前記ＳＲに従って、前記端末装置のためにＳＬ送信リソースを設定することとを含み、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成されることを特徴とする、請求項６に記載の方法。
【請求項１０】
前記ターゲットリソースに従って、ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つを決定し、
前記ターゲットリソースと第一のマッピング関係に従って優先度情報を決定するステップであって、前記第一のマッピング関係は、前記優先度情報と前記ターゲットリソースとのマッピング関係を含み、前記優先度情報は、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含む、ステップと、
前記ターゲットリソースと第二のマッピング関係に従って送信方式を決定するステップであって、前記第二のマッピング関係は、前記送信方法と前記ターゲットリソースとのマッピング関係を含み、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含む、ステップと、
前記ターゲットリソースと第三のマッピング関係に従ってデータ量を決定するステップであって、前記第三のマッピング関係は、前記データ量と前記ターゲットリソースとのマッピング関係を含み、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含む、ステップと、
前記ターゲットリソースと第四のマッピング関係に従って持続時間を決定するステップであって、前記第四のマッピング関係は、前記持続時間と前記ターゲットリソースとのマッピング関係を含み、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含む、ステップと、
前記ターゲットリソースと第五のマッピング関係に従って遅延需要を決定するステップであって、前記第五のマッピング関係は、前記遅延需要と前記ターゲットリソースとのマッピング関係を含み、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含む、ステップと、
前記ターゲットリソースと第六のマッピング関係に従って信頼性需要を決定するステップであって、第六のマッピング関係は、前記信頼性需要と前記ターゲットリソースとのマッピング関係を含み、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含む、ステップと、
前記ターゲットリソースと第七のマッピング関係に従って重複送信回数を決定するステップであって、前記第七のマッピング関係は、前記重複送信回数と前記ターゲットリソースとのマッピング関係を含み、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含む、ステップと、
前記ターゲットリソースと第八のマッピング関係に従って通信距離を決定するステップであって、前記第八のマッピング関係は、前記通信距離と前記ターゲットリソースとのマッピング関係を含み、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含む、ステップと、
前記ターゲットリソースと第九のマッピング関係に従って送信レートを決定するステップであって、前記第九のマッピング関係は、前記送信レートと前記ターゲットリソースとのマッピング関係を含み、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含む、ステップと、
前記ターゲットリソースと第十のマッピング関係に従ってデータレートを決定するステップであって、第十のマッピング関係は、前記データレートと前記ターゲットリソースとのマッピング関係を含み、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含む、ステップのうちの少なくとも１つを実行することを特徴とする、請求項９に記載の方法。
【請求項１１】
サイドリンクＳＬ上で送信する必要があるデータを有する場合、またはＳＬのバッファ状態レポートＢＳＲがスケジューリングリクエストＳＲをトリガーする場合、ターゲットリソースを介してリソーススケジューリングデバイスにＳＲを送信するように構成される送信ユニットであって、
前記ＳＲは、端末装置のＳＬ送信リソースを構成するようにリソーススケジューリング装置に要求するように構成される送信ユニットを含むことを特徴とする端末装置。
【請求項１２】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースである、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットであることを特徴とする請求項１１に記載の方法。
【請求項１３】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、ターゲットリソースおよび／またはターゲットリソースのフォーマットが通信プロトコルによって指定されていることを特徴とする、請求項１２に記載の端末装置。
【請求項１４】
前記端末装置は、
ターゲットデータパケット、ターゲットデータフロー、ターゲットサービス、ターゲット論理チャネル、ターゲット無線ベアラ、前記端末装置、およびターゲット無線アクセスタイプＲＡＴによって決定される前記ターゲットリソース、ターゲットソース識別子、およびターゲット目的識別子のうちの少なくとも１つに従って、前記ターゲットリソースを決定するように構成される決定ユニットであって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、決定ユニットをさらに含むことを特徴とする請求項１１に記載の端末装置。
【請求項１５】
前記決定ユニットは、具体的には、
優先度情報と第一のマッピング関係に従って前記ターゲットリソースを決定するステップであって、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む、ステップと、
送信方式と第二のマッピング関係に従って前記ターゲットリソースを決定するステップであって、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む、ステップと、
データ量と第三のマッピング関係に従って前記ターゲットリソースを決定するステップであって、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む、ステップと、
持続時間と第四のマッピング関係に従って前記ターゲットリソースを決定するステップであって、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む、ステップと、
遅延需要と第五のマッピング関係に従って前記ターゲットリソースを決定するステップであって、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、前記第五のマッピング関係は、前記遅延需要と前記ターゲットリソースとのマッピング関係を含む、ステップと、
信頼性需要と第六のマッピング関係に従って前記ターゲットリソースを決定するステップであって、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む、ステップと、
重複送信回数と第七のマッピング関係に従って前記ターゲットリソースを決定するステップであって、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含み、前記第七のマッピング関係は、前記重複送信回数と前記ターゲットリソースとのマッピング関係を含む、ステップと、
通信距離と第八のマッピング関係に従って前記ターゲットリソースを決定するステップであって、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む、ステップと、
送信レートと第九のマッピング関係に従って前記ターゲットリソースを決定するステップであって、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む、ステップと、
データレートと第十のマッピング関係に従って前記ターゲットリソースを決定するステップであって、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、第十のマッピング関係は、前記データレートと前記ターゲットリソースとのマッピング関係を含む、ステップのうちの少なくとも１つを実行することを特徴とする請求項１４に記載の端末装置。
【請求項１６】
ターゲットリソースを介して端末装置によって送信されたスケジューリングリクエストＳＲを受信するように構成される受信ユニットであって、前記ＳＲは、前記リソーススケジューリングデバイスに、前記端末装置のためにＳＬ上で送信する必要があるデータまたはＳＬのバッファー状態レポートＢＳＲのデータバッファー状態によって指示されたデータのリソースを設定するよう要求する用途に使用される、ように構成される受信ユニットと、
前記ＳＲおよび前記ターゲットリソースに従って、前記端末装置のためにＳＬ送信リソースを設定するように構成されるスケジューリングユニットとを含むことを特徴とするリソーススケジューリングデバイス。
【請求項１７】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースである、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである、
前記受信ユニットはさらに、前記ターゲットリソースおよび／または前記ターゲットリソースのフォーマットに従って、前記端末装置がＳＬ上で送信する必要のあるデータを有すること、またはＳＬのＢＳＲがスケジューリングリクエストＳＲをトリガーすることを決定するように構成されることを特徴とする、前記請求項１６に記載のリソーススケジューリングデバイス。
【請求項１８】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、前記ターゲットリソースおよび／または前記ターゲットリソースのフォーマットは、通信プロトコルによって指定されていることを特徴とする、前記請求項１７に記載のリソーススケジューリングデバイス。
【請求項１９】
前記リソーススケジューリングデバイスは、
前記ターゲットリソースに従って、ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つを決定するように構成される処理ユニットと、
具体的に、前記ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つ、及び前記ＳＲに従って、前記端末装置のためにＳＬ送信リソースを設定するように構成されるスケジューリングユニットとをさらに含み、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成されることを特徴とする、請求項１６に記載のリソーススケジューリングデバイス。
【請求項２０】
前記処理ユニットは、具体的には、
前記ターゲットリソースと第一のマッピング関係に従って優先度情報を決定するステップであって、前記第一のマッピング関係は、前記優先度情報と前記ターゲットリソースとのマッピング関係を含み、前記優先度情報は、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含む、ステップと、
前記ターゲットリソースと第二のマッピング関係に従って送信方式を決定するステップであって、前記第二のマッピング関係は、前記送信方法と前記ターゲットリソースとのマッピング関係を含み、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含む、ステップと、
前記ターゲットリソースと第三のマッピング関係に従ってデータ量を決定するステップであって、前記第三のマッピング関係は、前記データ量と前記ターゲットリソースとのマッピング関係を含み、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含む、ステップと、
前記ターゲットリソースと第四のマッピング関係に従って持続時間を決定するステップであって、前記第四のマッピング関係は、前記持続時間と前記ターゲットリソースとのマッピング関係を含み、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含む、ステップと、
前記ターゲットリソースと第五のマッピング関係に従って遅延需要を決定するステップであって、前記第五のマッピング関係は、前記遅延需要と前記ターゲットリソースとのマッピング関係を含み、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含む、ステップと、
前記ターゲットリソースと第六のマッピング関係に従って信頼性需要を決定するステップであって、第六のマッピング関係は、前記信頼性需要と前記ターゲットリソースとのマッピング関係を含み、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含む、ステップと、
前記ターゲットリソースと第七のマッピング関係に従って重複送信回数を決定するステップであって、前記第七のマッピング関係は、前記重複送信回数と前記ターゲットリソースとのマッピング関係を含み、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含む、ステップと、
前記ターゲットリソースと第八のマッピング関係に従って通信距離を決定するステップであって、前記第八のマッピング関係は、前記通信距離と前記ターゲットリソースとのマッピング関係を含み、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含む、ステップと、
前記ターゲットリソースと第九のマッピング関係に従って送信レートを決定するステップであって、前記第九のマッピング関係は、前記送信レートと前記ターゲットリソースとのマッピング関係を含み、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含む、ステップと、
前記ターゲットリソースと第十のマッピング関係に従ってデータレートを決定するステップであって、第十のマッピング関係は、前記データレートと前記ターゲットリソースとのマッピング関係を含み、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含む、ステップとのうち少なくとも１つを実行することを特徴とする、請求項１９に記載のリソーススケジューリングデバイス。
【請求項２１】
プロセッサと、メモリと、メモリに格納され且つプロセッサ上で実行可能なコンピュータプログラムとを含み、前記コンピュータプログラムが前記プロセッサによって実行されるとき、請求項１から５のいずれか一項に記載のリソーススケジューリング方法のステップを実現することを特徴とする、リソーススケジューリングデバイス。
【請求項２２】
プロセッサと、メモリと、メモリに格納され且つプロセッサ上で実行可能なコンピュータプログラムとを含み、前記コンピュータプログラムが前記プロセッサによって実行されるとき、請求項６から１０のいずれか一項に記載のリソーススケジューリング方法のステップを実現することを特徴とする、リソーススケジューリングデバイス。
【請求項２３】
コンピュータプログラムが格納されるコンピュータ読み取り可能な記憶媒体であって、前記コンピュータプログラムがプロセッサによって実行されるとき、請求項１から１０のいずれか一項に記載のリソーススケジューリング方法のステップを実現する。
【発明の詳細な説明】
【技術分野】
【０００１】
（関連出願の相互参照）
本出願は２０１８年９月２６日に中国特許庁に提出するよう要求され、特許出願番号が２０１８１１１２６９４３．３、出願名称が「リソーススケジューリング方法およびデバイス」である中国特許出願の優先権を主張しており、そのすべての内容は引用によりここに含まれている。
本出願の実施例は、通信技術の分野に関し、特に、リソーススケジューリング方法およびデバイスに関する。
【背景技術】
【０００２】
サイドリンク（ｓｉｄｅｌｉｎｋ，ＳＬ）での通信とは、デバイス間が基地局などのネットワーク側の機器による伝送または転送なしに直接通信できる技術のこと。ＳＬ通信は、リソース利用率とネットワーク容量を向上させることができるため、幅広い応用が期待される。
【０００３】
現在、既存の関連技術の規定によれば、端末装置にネットワーク側の機器に送信する必要のあるアップリンクデータがある場合、端末装置は、まずは、指定されたアップリンクリソース上でネットワーク側の機器にＲＳを送信し、ネットワーク側の  機器デバイスは、端末装置からのＳＲを受信した後、端末装置にアップリンググラント（ＵＬ  ｇｒａｎｔ）を割り当てて、端末装置は再びアップリンググラント上でネットワーク側の機器にＢＳＲを送信し、ネットワーク側機械は端末装置からのＢＳＲを受信した後、ＢＳＲによって端末装置の送信する必要があるアップリンクサービスのデータ量及び当該アップリンクサービスの優先度を取得し、当該アップリンクサービスのデータ量及び当該アップリンクサービスの優先度によって、アップリングデータを送信するためのリソースをスケジューリングする。しかしながら、既存の関連技術では、ＳＬ上でデータを送信するためのリソースをどのようにスケジューリングするかについての効果的な解決策は、まだ提案されていない。
【発明の概要】
【発明が解決しようとする課題】
【０００４】
本出願の実施例は、少なくとも、関連技術分で提案されていない、ＳＬ上でのリソースをどのようにスケジューリングするかについての問題を解決するためのリソーススケジューリング方法およびデバイスを提供する。
【課題を解決するための手段】
【０００５】
上記の技術的問題を解決するために、本出願は、以下のように実施される。
【０００６】
第１の態様では、本出願の実施例は、端末装置に適用されるリソーススケジューリング方法を提供し、この方法は、ＳＬ上で送信する必要があるデータを有する場合、またはＳＬのバッファー状態報告（Ｂｕｆｆｅｒ  Ｓｔａｔｕｓ  Ｒｅｐｏｒｔ，ＢＳＲ）がスケジューリングリクエストＳＲをトリガする場合、ターゲットリソースを介してＳＲをリソーススケジューリングデバイスに送信するステップであって、
前記ＳＲは、前記リソーススケジューリングデバイスに、前記端末装置のためにＳＬ送信リソースを設定するよう要求する用途に使用されるステップを含む。
【０００７】
第２の態様では、本出願の実施例は、リソーススケジューリングデバイスに適用されるリソーススケジューリング方法を提供し、この方法は、
ターゲットリソースを介して端末装置によって送信されたスケジューリングリクエストＳＲを受信するステップであって、前記ＳＲは、前記リソーススケジューリングデバイスに、前記端末装置のためにＳＬ上で送信する必要があるデータまたはＳＬのＢＳＲのデータバッファー状態によって指示されたデータのリソースを設定するよう要求する用途に使用される、ステップと、
前記ＳＲと前記ターゲットリソースに従って、前記端末装置のためにＳＬ送信リソースを設定するステップとを含む。
【０００８】
第３の態様では、本出願の実施例は、端末装置を提供し、
ＳＬ上に送信する必要があるデータを有する場合、またはＳＬのＢＳＲがスケジューリングリクエストＳＲをトリガーする場合、ターゲットリソースを介してリソーススケジューリングデバイスにＳＲを送信するように構成される送信ユニットであって、
前記ＳＲは、前記リソーススケジューリングデバイスに、前記端末装置のためにＳＬ送信リソースを設定するよう要求する用途に使用される、ように構成される送信ユニットを含む。
【０００９】
第４の態様では、本出願の実施例は、リソーススケジューリングデバイスを提供し、
ターゲットリソースを介して端末装置によって送信されたスケジューリングリクエストＳＲを受信するように構成される受信ユニットであって、前記ＳＲは、前記リソーススケジューリングデバイスに、前記端末装置のためにＳＬ上で送信する必要があるデータまたはＳＬのＢＳＲのデータバッファー状態によって指示されたデータのリソースを設定するよう要求する用途に使用される、ように構成される受信ユニットと、
前記ＳＲおよび前記ターゲットリソースに従って、前記端末装置のためにＳＬ送信リソースを設定するように構成されるスケジューリングユニットと、を含む。
【００１０】
第５の態様では、本出願の実施例は、プロセッサと、メモリと、前記メモリに格納され且つ前記プロセッサ上で実行可能なコンピュータプログラムとを含む端末装置を提供し、前記コンピュータプログラムが前記プロセッサによって実行されるとき、第１の態様に記載のリソーススケジューリング方法のステップを実現する。
【００１１】
第６の態様では、本出願の実施例は、プロセッサと、メモリと、メモリに格納され且つプロセッサ上で実行可能なコンピュータプログラムとを含み、前記コンピュータプログラムが前記プロセッサによって実行されるとき、第２の態様に記載のリソーススケジューリング方法のステップを実現することを特徴とする、リソーススケジューリングデバイスを提供する。
【００１２】
第７の態様では、本出願の実施例は、コンピュータプログラムが格納されるコンピュータ読み取り可能な記憶媒体を提供し、前記コンピュータプログラムがプロセッサによって実行されるとき、第１または第２の態様に記載の前記リソーススケジューリング方法のステップを実現する。
【発明の効果】
【００１３】
本出願の実施例によるリソーススケジューリング方法では、ＳＬ上で送信する必要があるデータを有する場合またはＳＬのＢＳＲがＳＲをトリガーする場合、ＳＲは、ターゲットリソースを介してリソーススケジューリングデバイスに送信される。ここで、前記ＳＲは、前記リソーススケジューリングデバイスに、前記端末装置のためにＳＬ送信リソースを設定するよう要求する用途に使用される。すなわち、ＳＬ上に送信する必要があるデータを有する場合またはＳＬのＢＳＲがＳＲをトリガーする場合、リソーススケジューリングデバイスにＳＲを送信することによって、リソーススケジューリングデバイスに前記端末装置のためにＳＬ送信リソースを設定するよう要求される。したがって、本出願の実施例は、ＳＬ上のリソースをどのようにスケジューリングするかが関連技術において提案されていないという問題を解決することができる。
【図面の簡単な説明】
【００１４】
【図１】本出願の実施例に関わる通信システムの可能な構造を示す図である。
【図２】本出願の実施例によるリソーススケジューリング方法の相互作用フローチャートである。
【図３】本出願の実施例による端末装置の概略構造図である。
【図４】本出願の実施例による端末装置のハードウェア構造を示す図である。
【図５】本出願の実施例によるリソーススケジューリングデバイスの概略構造図である。
【図６】本出願の実施例によるリソーススケジューリングデバイスのハードウェア構造の概略図である。
【発明を実施するための形態】
【００１５】
以下、本発明の実施例における添付の図面に関して、本出願の実施例における技術的なソリューションを明確かつ完全に説明するが、明らかに、記載されている実施例は、本発明の実施例の一部であり、すべての実施例ではない。当業者が創造的な努力を伴わずに本発明の実施例に基づいて導き出したその他の実施例は、すべて本出願の保護範囲に含まれる。
【００１６】
本明細書の「および／または」という用語は、単に関連オブジェクトを記述する関連関係であり、３つの関係が存在することができることを意味し、例えば、Ａおよび／またはＢは、Ａが単独で存在し、ＡとＢが同時に存在し、Ｂが単独で存在するという３つの状況を意味することができる。さらに、本明細書の文字「／」は、一般的に前後の関連オブジェクトが「または」の関係にあることを表す。式では、文字「／」は、前後の関連オブジェクトが「除算」の関係にあることを表す。特に明記されていない限り、本明細書の「複数」は２つ以上を意味する。
【００１７】
本出願の実施例の技術的ソリューションを明確に説明するために、本出願の実施例では、「第１の」および「第２の」等の言葉は、基本的に同じ機能または役割を有する同じアイテムまたは類似のアイテムを区別するために使用される。当業者は、「第１の」および「第２の」等の言葉が数量および実行順序を制限しないことを理解することができる。
【００１８】
本出願の実施例では、「例示的」または「例えば」などの単語が、例、例証、または説明を意味するために使用される。本出願の実施例において、「例示的」または「例えば」として記載されている如何なる実施例または設計ソリューションは、他の実施例または設計ソリューションよりも好ましいまたは有利であると解釈されるべきではない。正確には、「例示的」または「例えば」などの単語は、具体的な方法で関連する概念を提示することを意図する。本出願の実施例では、別段の説明がない限り、「複数」とは、２つ以上を意味する。
【００１９】
図１は、本出願の実施例に関わる通信システムの可能な構造の概略図を示している。図１に示すように、この通信システムは、リソーススケジューリングデバイス１１（図１では、リソーススケジューリングデバイスを基地局としての例を示している）と、第１の端末装置１２と、および第２の端末装置１３（図１では、第１の端末装置および第２の端末装置を携帯電話としての例を示している）とを含み得る。その中で、リソーススケジューリングデバイス１１は、無線リソース制御（Ｒａｄｉｏ  Ｒｅｓｏｕｒｃｅ  Ｃｏｎｔｒｏｌ，ＲＲＣ）を介して、第１の端末装置１２および第２の端末装置１３と無線接続を確立し、第１の端末装置１２および第２の端末装置１３の間でサイドリンク（ｓｉｄｅｌｉｎｋ，ＳＬ）を確立する。
【００２０】
本出願の実施例に関わる通信システムのリソーススケジューリングデバイス１１は、基地局、コアネットワークデバイス、送受信ポイント（Ｔｒａｎｓｍｉｓｓｉｏｎ  ａｎｄ  Ｒｅｃｅｐｔｉｏｎ  Ｐｏｉｎｔ，ＴＲＰ）、中継局、またはアクセスポイント等であってもよい  。さらに、リソーススケジューリングデバイス１１はまた、グローバル移動通信システム（Ｇｌｏｂａｌ  Ｓｙｓｔｅｍ  ｆｏｒ  Ｍｏｂｉｌｅ  ｃｏｍｍｕｎｉｃａｔｉｏｎ，ＧＳＭ）または符号分割多元接続（Ｃｏｄｅ  Ｄｉｖｉｓｉｏｎ  Ｍｕｌｔｉｐｌｅ  Ａｃｃｅｓｓ，ＣＤＭＡ）ネットワークにおけるベーストランシーバステーション（Ｂａｓｅ  Ｔｒａｎｓｃｅｉｖｅｒ  Ｓｔａｔｉｏｎ，ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ(登録商標)）のＮＢ（ＮｏｄｅＢ）であってもよく、またはＬＴＥのｅＮＢまたはｅＮｏｄｅＢ（ｅｖｏｌｕｔｉｏｎａｌＮｏｄｅＢ）であってもよい。リソーススケジューリングデバイス１１はまた、クラウド無線アクセスネットワーク（Ｃｌｏｕｄ  Ｒｓａｄｉｏ  Ａｃｃｅｓｓ  Ｎｅｔｗｏｒｄ，ＣＲＡＮ）シーンにおける無線コントローラであってもよい。リソーススケジューリングデバイス１１はまた、５Ｇ通信システムにおける基地局（ｇＮＢ）または将来の進化ネットワークにおけるネットワーク側デバイスであってもよい。
【００２１】
端末装置１２および端末装置１３は、無線ＵＥであってもよく、この無線ＵＥは、音声および／または他のサービスデータの接続をユーザに提供するデバイス、無線通信機能を備えたハンドヘルドデバイス、コンピューティングデバイスまたは無線モデムに接続された他の処理デバイス、車載デバイス、ウェアラブルデバイス、将来の５ＧネットワークのＵＥまたは将来の進化するＰＬＭＮネットワークにおけるＵＥなどであってもよい。無線ＵＥは、無線アクセスネットワーク（Ｒａｄｉｏ  Ａｃｃｅｓｓ  Ｎｅｔｗｏｒｋ，ＲＡＮ）を通して１つ以上のコアネットワークと通信することができ、無線ＵＥは、携帯電話（または「セルラー」と呼ばれる電話）、端末装置を備えたコンピューターなどの端末装置であってもよく、例えば、無線アクセスネットワークと言語および／またはデータを交換するポータブル式、ポケット式、手持ち式、コンピューター内蔵または車載のモバイル装置、及びパーソナルコミュニケーションサービス（Ｐｅｒｓｏｎａｌ  Ｃｏｍｍｕｎｉｃａｔｉｏｎ  Ｓｅｒｖｉｃｅ，ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ，ＳＩＰ）電話、無線ローカルループ（Ｗｉｒｅｌｅｓｓ  Ｌｏｃａｌ  Ｌｏｏｐ，ＷＬＬ）ステーション、携帯情報端末（Ｐｅｒｓｏｎａｌ  ｄｉｇｉｔａｌ  Ａｓｓｉｓｔａｎｔ，  ＰＤＡ）等のデバイスであってもよい。無線端末は、モバイルデバイス、ＵＥ端末、アクセス端末、無線通信デバイス、端末ユニット、端末ステーション、モバイルステーション（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、遠隔局、リモート端末（Ｒｅｍｏｔｅ  Ｔｅｒｍｉｎａｌ）、サブスクライバーユニット（Ｓｕｂｓｃｒｉｂｅｒ  Ｕｎｉｔ）、サブスクライバーステーション（Ｓｕｂｓｃｒｉｂｅｒ  Ｓｔａｔｉｏｎ）、ユーザーエージェント（Ｕｓｅｒ  Ａｇｅｎｔ）、端末装置等であってもよい。一例として、本出願の実施例では、図１は、端末を携帯電話としての例を示している。
【００２２】
本出願の実施例によるリソーススケジューリング方法の実行主体は、ＳＬ中の上記端末装置および／またはリソーススケジューリングデバイスであってもよく、またＳＬ中の端末装置および／またはリソーススケジューリングデバイスにおいて、当該リソーススケジューリング方法を実現することができる機能モジュールおよび／または機能実体であってもよく、具体的には、実際の使用要件に従って決定することができ、本出願の実施例は限定されない。
【００２３】
本出願の実施例は、リソーススケジューリング方法を提供し、具体的には、図２を参照すると、当該リソーススケジューリング方法は、以下のステップを含むことができる：
Ｓ１１：ＳＬ上で送信する必要があるデータを有する場合、またはＳＬのＢＳＲがＳＲをトリガーする場合、端末装置は、ターゲットリソースを介してＳＲをリソーススケジューリングデバイスに送信するステップ。
これに対応して、リソーススケジューリングデバイスは、ターゲットリソースを介して端末装置によって送信されたＳＲを受信する。
ここで、前記ＳＲは、前記リソーススケジューリングデバイスに、前記端末装置のためにＳＬ送信リソースを設定するよう要求する用途に使用される。
任意選択で、前記ターゲットリソースおよび／または前記ターゲットリソースのフォーマットは、前記端末装置のためにネットワーク側デバイスによって設定されるか、または前記ターゲットリソースおよび／または前記ターゲットリソースのフォーマットは、事前定義されるか、または前記ターゲットリソースおよび／または前記ターゲットリソースのフォーマットは、通信プロトコルによって規定される。
Ｓ１２：リソーススケジューリングデバイスは、前記ＳＲおよび前記ターゲットリソースに従って、前記端末装置のためにＳＬ送信リソースを設定するステップ。
【００２４】
本出願の実施例によるリソーススケジューリング方法では、ＳＬ上で送信する必要があるデータを有する場合またはＳＬのＢＳＲがＳＲをトリガーする場合、ＳＲは、ターゲットリソースを介してリソーススケジューリングデバイスに送信される。ここで、前記ＳＲは、前記リソーススケジューリングデバイスに、前記端末装置のためにＳＬ送信リソースを設定するよう要求する用途に使用される。すなわち、ＳＬ上に送信する必要があるデータを有する場合またはＳＬのＢＳＲがＳＲをトリガーする場合、リソーススケジューリングデバイスにＳＲを送信することによって、リソーススケジューリングデバイスに前記端末装置のためにＳＬ送信リソースを設定するよう要求される。したがって、本出願の実施例は、ＳＬ上のリソースをどのようにスケジューリングするかが関連技術において提案されていないという問題を解決することができる。
【００２５】
任意選択で、前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである。
【００２６】
すなわち、上記の実施例では、以下の３つの方法で、ターゲットリソースとターゲットリソース以外のリソースとの区別をすることができる。
【００２７】
方法１、ターゲットリソースは、他のデータを送信するリソースとは異なる。
【００２８】
方法２：ターゲットリソースのフォーマットは、他のデータを送信するリソースのフォーマットとは異なる。
【００２９】
方法３：ターゲットリソースは他のデータを送信するリソースとは異なり、ターゲットリソースのフォーマットは他のデータを送信するリソースのフォーマットとは異なる。
【００３０】
例示的に、上記方法１、２、３のうちの他のデータは、基地局と端末装置との間のデータ伝送リンク上に保持されているＵｕサービスによって申請されるＳＲを含む。
【００３１】
さらに、前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットであると、自上記実施例におけるリソーススケジューリングデバイスの実行方法は、
前記ターゲットリソースおよび／または前記ターゲットリソースのフォーマットに従って、前記端末装置がＳＬ上で送信する必要があるデータを有すること、またはＳＬのＢＳＲがスケジューリングリクエストＳＲをトリガーすることを決定すること、をさらに含む。
【００３２】
従来技術におけるアップリンクデータを送信するためのリソースをスケジューリングする方法を参照すると、端末装置が送信する必要があるアップリンクデータを有する場合、アップリンクデータを送信するためのリソースをスケジュールするために、端末装置とリソーススケジューリングデバイスとの間の複数の相互作用が必要であるが、端末装置とリソースのスケジューリングデバイス間の複数の相互作用により、通信システムの通信遅延が長くなることが分かる。上記の実施例では、専用リソースを介してＳＬ上に保持されているサービスのＳＲを送信し、および／または専用リソースのフォーマットでＳＬ上に保持されているサービスのＳＲを送信するため、リソーススケジューリングデバイスは、専用リソースおよび／または専用リソースのフォーマットを介して送信されたＳＲを受信した後、ＳＬ上で送信する必要があるデータを有すること、又はＳＬのＢＳＲがスケジューリングリクエストＳＲをトリガーすることを決定し、これによって、端末装置によって送信されたＢＳＲを受信することなく、端末装置用にデータを送信するためのリソースを直接スケジューリングするので、上述の実施例は、送信データをスケジューリングするための相互作用の流れを簡略化し、さらに通信システムの通信遅延を減少させることができる。
【００３３】
さらに、上記ステップＳ１１（ターゲットリソースを介してＳＲをリソーススケジューリングデバイスに送信する）の前に、本出願の実施例による方法は、
端末装置は、ターゲットデータパケット、ターゲットデータストリーム、前記ターゲットサービス、ターゲット論理チャネル、ターゲット無線ベアラ、前記端末装置、ターゲット無線アクセスタイプＲＡＴによって決定される前記ターゲットリソース、ターゲットリソース識別子、ターゲット目的識別子のうちの少なくとも１つに従って、前記ターゲットリソースを決定するステップであって、
前記ターゲットデータパケットは、前記送信する必要のあるデータのデータパケットまたは前記ＢＳＲによって報告されたデータバッファ状態によって示されたデータのデータパケットであり、前記ターゲットデータストリームは、前記送信する必要のあるデータのデータストリームまたは前記ＢＳＲによって報告されたデータバッファ状態によって示されたデータのデータストリームであり、前記ターゲット論理チャネルは、前記送信する必要のあるデータをマッピングする論理チャネル、または前記ＢＳＲによって報告されたデータバッファ状態によって示されたデータをマッピングする論理チャネルであり、前記ターゲット無線ベアラは、前記送信する必要のあるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ステップを含む。
【００３４】
また、端末装置は、ターゲットデータパケット、ターゲットデータストリーム、前記ターゲットサービス、ターゲット論理チャネル、ターゲット無線ベアラ、前記端末装置、ターゲット無線アクセスタイプ（Ｒａｄｉｏ  Ａｃｃｅｓｓ  Ｔｙｐｅ，ＲＡＴ）によって決定される前記ターゲットリソース、ターゲットリソース識別子、ターゲット目的識別子のうちの少なくとも１つに従って、前記ターゲットリソースを決定する場合、本出願の実施例による方法は、
リソーススケジューリングデバイスは、前記ターゲットリソースに従って、ターゲットデータパケット、ターゲットデータストリーム、前記ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つを決定する、ステップと、
リソーススケジューリングデバイスは、前記ターゲットデータパケット、ターゲットデータフロー、ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つ、及び前記ＳＲに従って、前記端末装置のためにＳＬ送信リソースを設定する、ステップとをさらに含む。
【００３５】
ここで、前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される。
【００３６】
さらに、上記の実施例による方法を以下に例示して説明する。
【００３７】
例えば、前記送信する必要のあるデータをマッピングする論理チャネルまたは前記ＢＳＲによって報告されたデータバッファ状態によって示されたデータをマッピングする論理チャネルが論理チャネルＡとされ、ターゲット論理チャネルＡに従ってＳＲを送信するためのリソースが端末装置によってターゲットリソース１として決定される場合、リソーススケジューリングデバイスは、端末装置がターゲットリソース１を介して送信したＳＲを受信した後、前記送信する必要のあるデータをマッピングする論理チャネルまたは前記ＢＳＲによって報告されたバッファ状態データによって示されたデータをマッピングする論理チャネルを論理チャネルＡとして決定することができ、前記論理チャネルＡと前記ＳＲに従って前記端末装置のためにＳＬ送信リソースを設定することができる。
【００３８】
例えば、前記送信する必要のあるデータまたは前記ＢＳＲによって報告されたデータバッファ状態によって示されたデータをベアラする無線ベアラが無線ベアラＡとされ、無線ベアラＡに従ってＳＲを送信するためのリソースが端末装置によってターゲットリソース２として決定される場合、リソーススケジューリングデバイスは、端末装置がターゲットリソース２を介して送信したＳＲを受信した後、前記送信する必要のあるデータまたは前記ＢＳＲによって報告されたデータバッファ状態によって示されたデータをベアラする無線ベアラを無線ベアラＡとして決定することができる。
【００３９】
例えば、ターゲットソース識別子は、送信端のサービスアドレスを識別するように構成され、前記送信する必要があるデータまたは前記ＢＳＲによって報告されたデータバッファ状態によって示されたデータの送信端のサービスアドレスがサービスアドレスＡとされ、サービスアドレスＡに従ってＳＲを送信するためのリソースが端末装置によってターゲットリソース３として決定される場合、リソーススケジューリングデバイスは、端末装置がターゲットリソース３を介して送信したＳＲを受信した後、前記送信する必要のあるデータまたは前記ＢＳＲによって報告されたデータバッファ状態によって示されたデータをベアラする送信端のサービスアドレスをサービスアドレスＡとして決定することができ、送信端のサービスアドレスＡと前記ＳＲに従って前記端末装置のためにＳＬ送信リソースを設定することができる。
【００４０】
例えば、ターゲットソース識別子は、受信端のサービスアドレスを識別するように構成され、前記送信する必要があるデータまたは前記ＢＳＲによって報告されたデータバッファ状態によって示されたデータの受信端のサービスアドレスがサービスアドレスＢとされ、サービスアドレスＢに従ってＳＲを送信するためのリソースが端末装置によってターゲットリソース４として決定される場合、リソーススケジューリングデバイスは、端末装置がターゲットリソース４を介して送信したＳＲを受信した後、前記送信する必要のあるデータまたは前記ＢＳＲによって報告されたデータバッファ状態によって示されたデータをベアラする送信端のサービスアドレスをサービスアドレスＢとして決定することができ、受信端のサービスアドレスＢと前記ＳＲに従って前記端末装置のためにＳＬ送信リソースを設定することができる。
【００４１】
例えば、前記送信する必要のあるデータのデータパケットまたは前記ＢＳＲによって報告されたデータバッファ状態によって示されたデータのデータパケットがデータパケットＡとされ、前記送信する必要のあるデータのデータストリームまたは前記ＢＳＲによって報告されたデータバッファ状態によって示されたデータのデータストリームがデータストリームＡとされ、データパケットＡに従って、ＳＲを送信するためのリソースが端末装置によってターゲットリソース５またはターゲットリソース６またはターゲットリソース７として決定されてもよく、データストリームＡに従って、ＳＲを送信するためのリソースが端末装置によってターゲットリソース６またはターゲットリソース８またはターゲットリソース９として決定されてもよいので、データパケットＡとデータストリームＡに従って、ＳＲを送信するためのリソースが端末装置によってターゲットリソース６として決定される場合、リソーススケジューリングデバイスは、端末装置がターゲットリソース６を介して送信したＳＲを受信した後、前記送信する必要のあるデータのデータパケットまたは前記ＢＳＲによって報告されたデータバッファ状態によって示されたデータのデータパケットをデータパケットＡとして決定することができ、前記送信する必要のあるデータのデータストリームまたは前記ＢＳＲによって報告されたデータバッファ状態によって示されたデータのデータストリームをデータストリームＡとして決定することができ、データパケットＡとデータストリームＡ及び前記ＳＲに従って、前記端末装置のためにＳＬ送信リソースを設定することができる。
【００４２】
さらに任意選択で、上記端末装置は、ターゲットデータパケット、ターゲットデータストリーム、前記ターゲットサービス、ターゲット論理チャネル、ターゲット無線ベアラ、前記端末装置、ターゲット無線アクセスタイプＲＡＴによって決定される前記ターゲットリソース、ターゲットソース識別子、ターゲット目的識別子のうちの少なくとも１つに従って、前記ターゲットリソースを決定し、具体的には、次の１〜１０のうちの少なくとも１つによって実行される。
【００４３】
一、優先度情報と第一のマッピング関係に従って前記ターゲットリソースを決定する。
ここで、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む。
すなわち、異なる優先度は異なるターゲットリソースに対応する。
【００４４】
二、送信方式と第二のマッピング関係に従って前記ターゲットリソースを決定する。
ここで、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む。
具体的には、上記の実施例における送信方法は、ユニキャスト、ブロードキャスト、またはマルチキャストである。
すなわち、ユニキャスト、ブロードキャスト、またはマルチキャストは、それぞれ異なるターゲットリソースに対応する。
【００４５】
三、データ量（ｐａｙｌｏａｄ）と第三のマッピング関係に従って、ターゲットリソースを決定する。
ここで、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む。
すなわち、異なるデータ量は異なるターゲットリソースに対応する。
【００４６】
四、持続時間と第四のマッピング関係に従って、前記ターゲットリソースを決定する。
ここで、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記のターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む。
すなわち、異なる持続時間は異なるターゲットリソースに対応する。
【００４７】
五、遅延（ｌａｔｅｎｃｙ）需要と第五のマッピング関係に従って、前記ターゲットリソースを決定する。
ここで、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、第五のマッピング関係は、前記遅延需要と前記ターゲットリソースとのマッピング関係を含む。
すなわち、異なる遅延需要は異なるターゲットリソースに対応する。
【００４８】
六、信頼性（Ｒｅｌｉａｂｉｌｉｔｙ）需要と第六のマッピング関係に従って、前記ターゲットリソースを決定する。
ここで、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む。
【００４９】
七、重複送信回数と第七のマッピング関係に従って、前記ターゲットリソースを決定する。
ここで、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソース識別子の重複送信回数、前記ターゲット目的識別子の重複送信回数のうちの少なくとも１つを含み、前記第七のマッピング関係は、前記重複送信回数と前記ターゲットリソースとのマッピング関係を含む。
すなわち、異なる重複送信回数は異なるターゲットリソースに対応する。
【００５０】
八、通信距離（ｃｏｍｍｕｎｉｃａｔｉｏｎ  ｒａｎｇｅ）と第八のマッピング関係に従って、前記ターゲットリソースを決定する。
ここで、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む。
すなわち、異なる通信距離は異なるターゲットリソースに対応する。
【００５１】
九、送信レートと第九のマッピング関係に従って、ターゲットリソースを決定する。
ここで、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む。
すなわち、異なる送信レートは異なるターゲットリソースに対応する。
【００５２】
十、データレート（Ｄａｔａ  ｒａｔｅ）と第十のマッピング関係に従って、前記ターゲットリソースを決定する。
ここで、前記データレートは、前記ターゲットデータパケットのデータレート、前記ターゲットデータストリームのデータレート、前記ターゲットサービスのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、前記第十のマッピング関係は、前記データレートと前記ターゲットリソースとのマッピング関係を含む。
すなわち、異なるデータレートは、異なるターゲットリソースに対応する。
【００５３】
さらに、端末装置が上記１から１０のうちの少なくとも１つを実行する場合、前記リソーススケジューリングデバイスは、前記ターゲットリソースに従って、ターゲットデータパケット、ターゲットデータストリーム、前記ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つを確定し、次のＡ−Ｊのうちの少なくとも１つを実行することを含む。
【００５４】
Ａ、前記ターゲットリソースと第一のマッピング関係に従って、優先度情報を決定する。
ここで、前記第一のマッピング関係は、前記優先度情報とターゲットリソースとのマッピング関係を含み、前記優先度情報は、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含む。
【００５５】
Ｂ、前記ターゲットリソースと第二のマッピング関係に従って、送信方法を決定する。
ここで、第二のマッピング関係は、前記送信方法と前記ターゲットリソースとのマッピング関係を含み、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含む。
【００５６】
Ｃ、前記ターゲットリソースと第三のマッピング関係に従って、データ量を決定する。
ここで、第三のマッピング関係は、前記データ量と前記ターゲットリソースとのマッピング関係を含み、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含む。
【００５７】
Ｄ、前記ターゲットリソースと第四のマッピング関係に従って、持続時間を決定する。
ここで、第四のマッピング関係は、前記持続時間と前記ターゲットリソースとのマッピング関係を含み、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含む。
【００５８】
Ｅ、前記ターゲットリソースと第五のマッピング関係に従って、遅延需要を決定する。
ここで、前記第五のマッピング関係は、前記遅延需要と前記ターゲットリソースとのマッピング関係を含み、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含む。
【００５９】
Ｆ、前記ターゲットリソースと第六のマッピング関係に従って、信頼性需要を決定する。
ここで、前記第六のマッピング関係は、前記信頼性需要と前記ターゲットリソースとのマッピング関係を含み、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含む。
【００６０】
Ｇ、前記ターゲットリソースと第七のマッピング関係に従って、重複送信回数を決定する。
ここで、前記第七のマッピング関係は、前記重複送信回数と前記ターゲットリソースとのマッピング関係を含み、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソース識別子の重複送信回数、前記ターゲット目的識別子の重複送信回数のうちの少なくとも１つを含む。
【００６１】
Ｈ、前記ターゲットリソースと第八のマッピング関係に従って、通信距離を決定する。
ここで、前記第八のマッピング関係は、前記通信距離と前記ターゲットリソースとのマッピング関係を含み、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含む。
【００６２】
Ｉ、前記ターゲットリソースと第九のマッピング関係に従って、送信レートを決定する。
ここで、前記第九のマッピング関係は、前記送信レートと前記ターゲットリソースとのマッピング関係を含み、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含む。
【００６３】
Ｊ、前記ターゲットリソースと第十のリソースのマッピング関係に従って、データレートを決定する。
ここで、前記第十のマッピング関係は、前記データレートと前記ターゲットリソースとのマッピング関係を含み、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含む。
【００６４】
さらに、上記の実施例による方法を以下に例示して説明する。
【００６５】
例えば、前記送信する必要のあるデータのデータパケットまたは前記ＢＳＲによって報告されたデータバッファ状態によって示されたデータのデータパケットがデータパケットＢ（ターゲットデータパケットはデータパケットＢである）とされ、第一のマッピング関係にはデータパケットＢの優先度と前記ターゲットリソースとのマッピング関係を含む場合、端末装置は、前記データパケットＢの優先度と第一のマッピング関係に従って、ＳＲを送信するためのリソースをターゲットリソース１として決定し、リソーススケジューリングデバイスは、端末装置がターゲットリソース１を介して送信したＳＲを受信した後、ターゲットリソースと第一のマッピング関係に従って前記送信する必要のあるデータのデータパケットまたは前記ＢＳＲによって報告されたデータバッファ状態によって示されたデータのデータパケットの優先度を決定することができ、前記送信する必要のあるデータのデータパケットまたは前記ＢＳＲによって報告されたデータバッファ状態によって示されたデータのデータパケットの優先度及び前記ＳＲに従って前記端末装置のためにＳＬ送信リソースを設定することができる。
【００６６】
例えば、前記送信する必要のあるデータのデータストリームまたは前記ＢＳＲによって報告されたデータバッファ状態によって示されたデータのデータストリームがデータストリームＢ（ターゲットデータストリームはデータストリームＢである）とされ、前記データストリームＢの送信方法と第二のマッピング関係に従って、ＳＲを送信するためのリソースが端末装置によってターゲットリソース２として決定される場合、リソーススケジューリングデバイスは、端末装置がターゲットリソース２を介して送信したＳＲを受信した後、ターゲットリソースと第二のマッピング関係に従って前記送信する必要のあるデータのデータストリームまたは前記ＢＳＲによって報告されたデータバッファ状態によって示されたデータのデータストリームの送信方法を決定することができ、前記送信する必要のあるデータのデータストリームまたは前記ＢＳＲによって報告されたデータバッファ状態によって示されたデータのデータストリームの送信方法及び前記ＳＲに従って前記端末装置のためにＳＬ送信リソースを設定することができる。
【００６７】
例えば、前記送信する必要があるデータの属するサービスまたは前記ＢＳＲによって報告されたデータバッファ状態によって示されたデータの属するサービスがサービスＡ（ターゲットサービスはサービスＡである）とされ、前記サービスＡの持続時間と第四のマッピング関係に従って、ＳＲを送信するためのリソースが端末装置によってターゲットリソース３として決定される場合、リソーススケジューリングデバイスは、端末装置がターゲットリソース３を介して送信したＳＲを受信した後、ターゲットリソースと第四のマッピング関係に従って前記送信する必要があるデータの属するサービスまたは前記ＢＳＲによって報告されたデータバッファ状態によって示されたデータの属するサービスの持続時間を決定することができ、前記送信する必要があるデータの属するサービスまたは前記ＢＳＲによって報告されたデータバッファ状態によって示されたデータの属するサービスの持続時間及び前記ＳＲに従って、前記端末装置のためにＳＬ送信リソースを設定することができる。
【００６８】
例えば、前記送信する必要があるデータのデータパケットまたは前記ＢＳＲによって報告されたデータバッファ状態によって示されたデータのデータパケットがデータパケットＣ（ターゲットデータパケットはデータパケットＣである）とされ、前記送信する必要があるデータのデータストリームまたは前記ＢＳＲによって報告されたデータバッファ状態によって示されたデータのデータストリームがデータストリームＣ（ターゲットデータストリームはデータストリームＣである）とされ、第一のマッピング関係にはデータパケットＣの優先度と前記ターゲットリソースとのマッピング関係、及びデータストリームＣの優先度と前記ターゲットリソースとのマッピング関係を含む場合、端末装置は、前記データパケットＣの優先度、データストリームＣ、及び第一のマッピング関係に従って、ＳＲを送信するためのリソースをターゲットリソース３として決定し、リソーススケジューリングデバイスは、端末装置がターゲットリソース３を介して送信したＳＲを受信した後、ターゲットリソースと第一のマッピング関係に従って前記送信する必要のあるデータのデータパケットまたは前記ＢＳＲによって報告されたデータバッファ状態によって示されたデータのデータパケットの優先度を決定することができ、前記送信する必要のあるデータのデータストリームまたは前記ＢＳＲによって報告されたデータバッファ状態によって示されたデータのデータストリームの優先度及び前記ＳＲに従って、前記端末装置のためにＳＬ送信リソースを設定することができる。
【００６９】
例えば、前記送信する必要のあるをマッピングする論理チャネルまたは前記ＢＳＲによって報告されたデータバッファ状態によって示されたデータをマッピングする論理チャネルが、論理チャネルＡ（ターゲット論理チャネルは論理チャネルＡである）とされ、前記論理チャネルＡの重複送信回数が、Ｎ（Ｎは０より大きい正の整数である）とされ、前記論理チャネルＡの重複送信回数Ｎと第七のマッピング関係に従って、ＳＲを送信するためのリソースが端末装置によってターゲットリソース３またはターゲットリソース４またはターゲットリソース５として決定され、前記送信する必要があるデータの属するサービスまたは前記ＢＳＲによって報告されたデータバッファ状態によって示されたデータの属するサービスがサービスＢ（ターゲットサービスはサービスＢである）とされ、前記サービスＢの通信距離と第八のマッピング関係に従って、ＳＲを送信するためのリソースが端末装置によってターゲットリソース４またはターゲットリソース６またはターゲットリソース７として決定されてもよいので、ＳＲを送信するためのリソースが端末装置によってターゲットリソース４として決定される場合、リソーススケジューリングデバイスは、端末装置がターゲットリソース４を介して送信したＳＲを受信した後、ターゲットリソース、第７のマッピング関係および第８のマッピング関係に従って、前記送信する必要のあるデータをマッピングする論理チャネルまたは前記ＢＳＲによって報告されたデータバッファ状態によって示されたデータをマッピングする論理チャネルの重複送信回数Ｎ、および前記送信する必要があるデータの属するサービスまたは前記ＢＳＲによって報告されたデータバッファ状態によって示されたデータの属するサービスの通信距離を決定することができ、前記送信する必要のあるデータをマッピングする論理チャネルまたは前記ＢＳＲによって報告されたデータバッファ状態によって示されたデータをマッピングする論理チャネルの重複送信回数Ｎ、および前記送信する必要があるデータの属するサービスまたは前記ＢＳＲによって報告されたデータバッファ状態によって示されたデータの属するサービスの通信距離、および前記ＳＲに従って、前記端末装置のためにＳＬ送信リソースを設定することができる。
【００７０】
上記実施例によるリソーススケジューリング方法を通して、リソーススケジューリングデバイスは、専用リソースおよび／または専用リソースフォーマットによって送信されたＳＲを受信した後、ＳＬ上で送信する必要があるデータを有すること、又はＳＬのＢＳＲがスケジューリングリクエストＳＲをトリガーすることを決定し、専用リソースおよび／または専用リソースフォーマットによって優先度情報、送信方法、データ量、持続時間、遅延需要、信頼性需要、重複送信回数、通信距離、送信レート、データレートのうちの少なくとも１つを決定し、これによって、端末装置によって送信されたＢＳＲを受信することなく、優先度情報、送信方法、データ量、持続時間、遅延需要、信頼性需要、重複送信回数、通信距離、送信レート、データレートのうちの少なくとも１つに従って精確的に端末装置のためにデータを送信するリソースをスケジューリングすることができるので、上述の実施例は、送信データをスケジューリングするための相互作用の流れを簡略化し、さらに通信システムの通信遅延を減少させることができる。
【００７１】
本出願の別の実施例は、端末装置を提供し、具体的には、図３を参照すると、この端末装置３００は、
ＳＬ上で送信する必要があるデータを有する場合またはＳＬのＢＳＲがスケジューリングリクエストＳＲをトリガーする場合、ターゲットリソースを介してリソーススケジューリングデバイスにＳＲを送信するように構成される送信ユニット３１であって、
前記ＳＲは、前記リソーススケジューリングデバイスに、前記端末装置のためにＳＬ送信リソースを設定するよう要求するために使用される、ように構成される送信ユニット３１を含む。
【００７２】
本出願の実施例による端末装置では、ＳＬ上で送信する必要のあるデータを有する場合またはＳＬのＢＳＲがＳＲをトリガーする場合、ＳＲは、ターゲットリソースを介してリソーススケジューリングデバイスに送信される。ここで、前記ＳＲは、前記リソーススケジューリングデバイスに、前記端末装置のためにＳＬ送信リソースを設定するよう要求する用途に使用される。すなわち、端末装置がＳＬ上に送信する必要のあるデータを有する場合またはＳＬのＢＳＲがＳＲをトリガーする場合、リソーススケジューリングデバイスにＳＲを送信することによって、リソーススケジューリングデバイスに前記端末装置のためにＳＬ送信リソースを設定するよう要求される。したがって、本出願の実施例は、ＳＬ上のリソースをどのようにスケジューリングするかが関連技術において提案されていないという問題を解決することができる。
【００７３】
任意選択で、前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである。
【００７４】
任意選択で、前記ターゲットリソースおよび／または前記ターゲットリソースのフォーマットは、前記端末装置のためにネットワーク側デバイスによって設定されるか、または前記ターゲットリソースおよび／または前記ターゲットリソースのフォーマットは、事前定義されるか、または前記ターゲットリソースおよび／または前記ターゲットリソースのフォーマットは、通信プロトコルによって規定される。
【００７５】
任意選択で、図３を参照すると、前記端末装置３００は、
ターゲットデータパケット、ターゲットデータストリーム、ターゲットサービス、ターゲット論理チャネル、ターゲット無線ベアラ、前記端末装置、前記端末装置、ターゲット無線アクセスタイプＲＡＴによって決定される前記ターゲットリソース、ターゲットソース識別子、ターゲット目的識別子のうちの少なくとも１つに従って、前記ターゲットリソースを決定するように構成されるユニット３２であって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ユニット３２をさらに含む。
【００７６】
任意選択で、前記決定ユニット３２は、具体的には、
優先度情報と第一のマッピング関係に従って前記ターゲットリソースを決定するステップであって、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む、ステップと、
送信方式と第二のマッピング関係に従って前記ターゲットリソースを決定するステップであって、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む、ステップと、
データ量と第三のマッピング関係に従って前記ターゲットリソースを決定するステップであって、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む、ステップと、
持続時間と第四のマッピング関係に従って前記ターゲットリソースを決定するステップであって、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む、ステップと、
遅延需要と第五のマッピング関係に従って前記ターゲットリソースを決定するステップであって、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、前記第五のマッピング関係は、前記遅延需要と前記ターゲットリソースとのマッピング関係を含む、ステップと、
信頼性需要と第六のマッピング関係に従って前記ターゲットリソースを決定するステップであって、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む、ステップと、
重複送信回数と第七のマッピング関係に従って前記ターゲットリソースを決定するステップであって、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含み、前記第七のマッピング関係は、前記重複送信回数と前記ターゲットリソースとのマッピング関係を含む、ステップと、
通信距離と第八のマッピング関係に従って前記ターゲットリソースを決定するステップであって、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む、ステップと、
送信レートと第九のマッピング関係に従って前記ターゲットリソースを決定するステップであって、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む、ステップと、
データレートと第十のマッピング関係に従って前記ターゲットリソースを決定するステップであって、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、第十のマッピング関係は、前記データレートと前記ターゲットリソースとのマッピング関係を含む、ステップのうちの少なくとも１つを実行するように構成される。
【００７７】
上記実施例によるリ端末装置を通して、リソーススケジューリングデバイスは、専用リソースおよび／または専用リソースフォーマットによって送信されたＳＲを受信した後、ＳＬ上で送信する必要があるデータを有すること、又はＳＬのＢＳＲがスケジューリングリクエストＳＲをトリガーすることを決定し、専用リソースおよび／または専用リソースフォーマットによって優先度情報、送信方法、データ量、持続時間、遅延需要、信頼性需要、重複送信回数、通信距離、送信レート、データレートのうちの少なくとも１つを決定し、これによって、端末装置によって送信されたＢＳＲを受信することなく、優先度情報、送信方法、データ量、持続時間、遅延需要、信頼性需要、重複送信回数、通信距離、送信レート、データレートのうちの少なくとも１つに従って精確的に端末装置のためにデータを送信するリソースをスケジューリングすることができるので、上述の実施例は、送信データをスケジューリングするための相互作用の流れを簡略化し、さらに通信システムの通信遅延を減少させることができる。
【００７８】
図４は、本出願の実施例を実現するための端末装置のハードウェア構造の概略図であり、この端末装置は、高周波ユニット１０１、ネットワークモジュール１０２、音声出力ユニット１０３、入力ユニット１０４，、センサ１０５、表示ユニット１０６、ユーザ入力ユニット１０７、インターフェースユニット１０８、メモリ１０９、プロセッサ１１０、電源１１１および他の構成要素を含むが、これらに限定されない。当業者なら、図４に示す端末装置の構造が端末装置の限定を構成するものではなく、端末装置が図に示すものより多いまたは少ない構成要素か、または何らかの構成要素を組み合わせるか、または異なる構成要素配置を含み得ることを理解することができる。本出願の実施例では、端末装置は、携帯電話、タブレットＰＣ、ノートパソコン、ＰＤＡ、車載端末、ウェアラブルデバイス、および歩数計を含むが、これらに限定されない。
【００７９】
ここで、高周波ユニット１０１は、ＳＬ上で送信する必要があるデータを有する場合、またはＳＬのＢＳＲがスケジューリングリクエストＳＲをトリガーする場合、ターゲットリソースを介してリソーススケジューリングデバイスにＳＲを送信するように構成され、
前記ＳＲは、端末装置のＳＬ送信リソースを構成するようにリソーススケジューリング装置に要求するために使用される。
【００８０】
本出願の実施例による端末装置では、ＳＬ上で送信する必要のあるデータを有する場合またはＳＬのＢＳＲがＳＲをトリガーする場合、ＳＲは、ターゲットリソースを介してリソーススケジューリングデバイスに送信される。ここで、前記ＳＲは、前記リソーススケジューリングデバイスに、前記端末装置のためにＳＬ送信リソースを設定するよう要求する用途に使用される。すなわち、端末装置がＳＬ上に送信する必要のあるデータを有する場合またはＳＬのＢＳＲがＳＲをトリガーする場合、リソーススケジューリングデバイスにＳＲを送信することによって、リソーススケジューリングデバイスに前記端末装置のためにＳＬ送信リソースを設定するよう要求される。したがって、本出願の実施例は、ＳＬ上のリソースをどのようにスケジューリングするかが関連技術において提案されていないという問題を解決することができる。
【００８１】
本出願の実施例では、高周波ユニット１０１は、情報の送受信または通話過程での信号の送受信をするために使用され得ることを理解されたい。具体的には、基地局からのダウンリンクデータを受信した後、プロセッサ１１０によって処理され、また、アップリンクデータを基地局に送信する。一般に、高周波ユニット１０１は、アンテナ、１つ以上の増幅器、トランシーバ、カプラ、低雑音増幅器、ダイプレクサなどを含むが、これらに限定されない。さらに、高周波ユニット１０１はまた、無線通信システムを介してネットワークおよび他のデバイスと通信することもできる。
【００８２】
端末装置は、ネットワークモジュール１０２を介して無線ブロードバンドインターネットアクセスをユーザーに提供しており、例えば、ユーザーが電子メールを送受信したり、ウェブページを閲覧したり、ストリーミングメディアにアクセスしたりするのを支援するなど。
【００８３】
音声出力ユニット１０３は、高周波ユニット１０１またはネットワークモジュール１０２によって受信された、またはメモリ１０９に格納された音声データを音声信号に変換し、それを音声として出力することができる。音声出力ユニット１０３は、端末装置によって実行される特定の機能（例えば、ペーシング信号の受信音、メッセージ受信音など）に関連する音声出力をさらに提供することができる。音声出力ユニット１０３は、スピーカー、ブザー、受話器などを含む。
【００８４】
入力ユニット１０４は、音声または動画信号を受信するために使用される。入力ユニット１０４は、ビデオキャプチャモードまたは画像キャプチャモードで画像キャプチャ装置（カメラなど）によって取得された静止画像またはビデオ画像データを処理する図学処理装置（Ｇｒａｐｈｉｃｓ  Ｐｒｏｃｅｓｓｉｎｇ  Ｕｎｉｔ，ＧＰＵ）１０４１およびマイクロフォン１０４２を含み得る。処理された画像フレームは、表示ユニット１０６に表示することができる。図学処理装置１０４１によって処理された画像フレームは、メモリ１０９（または他の記憶媒体）に格納され得るか、または高周波ユニット１０１やネットワークモジュール１０２を介して送信され得る。マイクロフォン１０４２は、音を受信することができ、そのような音を音声データに処理することもできる。処理された音声データは、電話通話モードの場合に、高周波ユニット１０１を介して移動通信基地局に送信できるフォーマットに変換して出力することができる。
【００８５】
端末装置は、光センサー、運動センサー、および他のセンサーなどの少なくとも１つのセンサー１０５をさらに含む。具体的には、光センサーは、周囲光の明るさに応じて表示パネル１０６１の輝度を調整することができる環境光センサーと、端末装置が耳に移動したときに表示パネル１０６１および／またはバックライトを閉じることができる近接センサーとを含む。加速度計センサーは、運動センサーの一種として、さまざまな方向（通常は３軸）の加速度の大きさを検出することができ、静止時の重力の大きさ及び方向を検出でき、端末装置姿勢の識別（水平および垂直画面切り替え、関連ゲーム、磁力計の姿勢キャリブレーションなど）、振動による関連機能（歩数計、叩きなど）の識別をするために使用することができる。センサー１０５は、指紋センサー、圧力センサー、虹彩センサー、分子センサー、ジャイロスコープ、気圧計、湿度計、温度計、赤外線センサー等をさらに含み得る。詳細がここで再び記述されることはない。
【００８６】
表示ユニット１０６は、ユーザが入力した情報またはユーザに提供した情報を表示するように構成される。表示ユニット１０６は、表示パネル１０６１を含み得る。表示パネル１０６１は、液晶ディスプレイ（Ｌｉｑｕｉｄ  Ｃｒｙｓｔａｌ  Ｄｉｓｐｌａｙ，ＬＣＤ）、有機発光ダイオード（Ｏｒｇａｎｉｃ  Ｌｉｇｈｔ−Ｅｍｉｔｔｉｎｇ，ＯＬＥＤ）などの形式で配置され得る。
【００８７】
ユーザ入力ユニット１０７は、入力された数字または文字情報を受信し、端末装置のユーザ設定および機能制御に関連するキー信号入力を生成するように構成されている。具体的には、ユーザ入力ユニット１０７は、タッチパネル１０７１および他の入力装置１０７２を含む。タッチパネル１０７１は、タッチスクリーンとも呼ばれ、その上またはその近くでの（例えば、ユーザが指やスタイラスペンなどの任意の適切な物体または付属品を使用してタッチパネル１０７１上またはタッチパネル１０７１の近くでの操作）ユーザのタッチ操作を収集することができる。タッチパネル１０７１は、タッチ検出装置およびタッチコントローラの二つの部分を含み得る。タッチ検出装置は、ユーザーのタッチ位置を検出し、タッチ操作による信号を検出し、その信号をタッチコントローラに送信する。タッチコントローラは、タッチ検出装置からタッチ情報を受信し、それを触点座標に変換し、プロセッサ１１０に送信し、プロセッサ１１０からのコマンドを受信して実行する。さらに、タッチパネル１０７１は、抵抗式、電気容量式、赤外線、および表面音波などの様々なタイプを使用して実現することができる。タッチパネル１０７１に加えて、ユーザ入力ユニット１０７は他の入力装置１０７２をさらに含み得る。具体的には、他の入力装置１０７２は、物理キーボード、機能キー（音量制御キー、スイッチキーなど）、トラックボール、マウス、およびアクションバーを含み得るが、これらに限定されない。詳細がここで再び記述されることはない。
【００８８】
さらに、タッチパネル１０７１は、表示パネル１０６１を覆うことができ、タッチパネル１０７１がその上またはその近くでのタッチ操作を検出すると、プロセッサ１１０に送信し、タッチイベントのタイプを決定し、その後、プロセッサ１１０がタッチイベントのタイプに応じて、表示パネル１０６１上に対応する視覚的出力を提供する。図４では、タッチパネル１０７１および表示パネル１０６１は、端末装置の入出力機能を実現するための２つの独立した構成要素として使用されるが、いくつかの実施例では、タッチパネル１０７１と表示パネル１０６１を集成することによって端末装置の入出力機能を実現することができ、具体的にはここで限定しない。
【００８９】
インターフェースユニット１０８は、外部装置と端末装置とを接続するインターフェースである。例えば、外部装置は、有線または無線のヘッドフォンポート、外部電源（またはバッテリ充電器）ポート、有線または無線のデータポート、メモリカードポート、識別モジュールを有する装置に接続するためのポート、音声入力／出力（Ｉ／Ｏ）ポート、ビデオＩ／Ｏポート、ヘッドフォンポート等を含み得る。インターフェースユニット１０８は、外部装置からの入力（例えば、データ情報、電力など）を受信し、受信した入力を端末装置における１つ以上の素子に伝送するために使用されることができ、または端末装置と外部装置との間でデータを伝送するために使用されることができる。
【００９０】
メモリ１０９は、ソフトウェアプログラムおよび様々なデータを格納するために使用され得る。メモリ１０９は、主にプログラム記憶領域およびデータ記憶領域を含むことができ、プログラム記憶領域は、操作システム、少なくとも１つの機能に必要なアプリケーションプログラム（音声再生機能、画像再生機能など）などを収納でき、データ記憶領域は、携帯電話の使用による作成されたデータ（音声データ、電話帳など）を収納できる。また、メモリ１０９は、高速ランダムアクセスメモリを含んでもよく、非揮発性メモリを含んでも良い。例えば、少なくとも１つのディスクメモリ、フラッシュメモリ、または他の揮発性ソリッドステートメモリ。
【００９１】
プロセッサ１１０は、端末装置の制御センターであり、様々なインターフェースおよび回線で端末装置全体の各部を接続し、メモリ１０９に格納されたソフトウェアプログラムおよび／またはモジュールを運行または実行すること、及びメモリ１０９に格納されたデータを呼び出すことによって、端末装置の各種機能とデータの処理を実行し、端末装置全体を監視する。プロセッサ１１０は、１つ以上の処理ユニットを含み得る。好ましくは、プロセッサ１１０は、アプリケーションプロセッサおよびモデムプロセッサを集成することができ、アプリケーションプロセッサは、主に操作システム、ユーザインターフェース、およびアプリケーションプログラムなどを処理し、モデムプロセッサは、主に無線通信を処理する。上記のモデムプロセッサは、プロセッサ１１０に集成されなくてもよいと理解され得る。
【００９２】
端末装置はまた、様々な構成要素に電力を供給するための電源１１１（バッテリーなど）を含み得る。好ましくは、電源１１１は、電力管理システムを介してプロセッサ１１０に論理的に接続されることによって、電源管理システムで充放電管理、および電力消費管理等の機能を実現することができる。
【００９３】
さらに、端末装置は、示されていないいくつかの機能モジュールを含む。詳細がここで再び記述されることはない。
【００９４】
本出願の別の実施例は、リソーススケジューリングデバイスを提供し、具体的には、図５を参照すると、このリソーススケジューリングデバイス５００は、
ターゲットリソースを介して端末装置によって送信されたスケジューリングリクエストＳＲを受信するように構成される受信ユニット５１であって、前記ＳＲは、前記リソーススケジューリングデバイスに、前記端末装置のためにＳＬ上で送信する必要があるデータまたはＳＬのＢＳＲのデータバッファー状態によって指示されたデータのリソースを設定するよう要求する用途に使用されるように構成される、受信ユニット５１と、
前記ＳＲと前記ターゲットリソースに従って、端末装置のためにＳＬ送信リソースを設定するように構成されるスケジューリングユニット５２とを含む。
【００９５】
本出願の実施例によるリソーススケジューリングデバイスは、最初に、ターゲットリソースを介して端末装置によって送信されたスケジューリングリクエストＳＲを受信し、次に、前記ＳＲと前記ターゲットリソースに従って端末装置のためにＳＬ送信リソースを設定する。ここで、前記ＳＲは、前記リソーススケジューリングデバイスに、前記端末装置のためにＳＬ上で送信する必要があるデータまたはＳＬのＢＳＲのデータバッファー状態によって指示されたデータのリソースを設定するよう要求する用途に使用される。すなわち、端末装置がＳＬ上に送信する必要のあるデータを有する場合またはＳＬのＢＳＲがＳＲをトリガーする場合、リソーススケジューリングデバイスにＳＲを送信することによって、リソーススケジューリングデバイスに前記端末装置のためにＳＬ送信リソースを設定するよう要求される。したがって、本出願の実施例は、ＳＬ上のリソースをどのようにスケジューリングするかが関連技術において提案されていないという問題を解決することができる。
【００９６】
任意選択で、前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである。
【００９７】
受信ユニット５１はまた、前記ターゲットリソースおよび／または前記ターゲットリソースのフォーマットに従って、前記端末装置がＳＬ上で送信する必要があるデータを有すること、またはＳＬのＢＳＲがスケジューリングリクエストＳＲをトリガーすることを決定するように構成される。
【００９８】
任意選択で、前記ターゲットリソースおよび／または前記ターゲットリソースのフォーマットは、前記端末装置のためにネットワーク側デバイスによって設定されるか、または前記ターゲットリソースおよび／または前記ターゲットリソースのフォーマットは、事前定義されるか、または前記ターゲットリソースおよび／または前記ターゲットリソースのフォーマットは、通信プロトコルによって規定される。
【００９９】
任意選択で、図５を参照すると、前記リソーススケジューリングデバイス５００は、
前記ターゲットリソースに従って、ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つを決定するように構成される処理ユニット５３と、
前記ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つ、及び前記ＳＲに従って、前記端末装置のためにＳＬ送信リソースを設定するように構成されるスケジューリングユニット５２とをさらに含む。
【０１００】
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲットソース識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される。
【０１０１】
任意選択で、前記処理ユニット５３は、具体的には、
前記ターゲットリソースと第一のマッピング関係に従って優先度情報を決定するステップであって、前記第一のマッピング関係は、前記優先度情報と前記ターゲットリソースとのマッピング関係を含み、前記優先度情報は、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含む、ステップと、
前記ターゲットリソースと第二のマッピング関係に従って送信方式を決定するステップであって、前記第二のマッピング関係は、前記送信方法と前記ターゲットリソースとのマッピング関係を含み、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含む、ステップと、
前記ターゲットリソースと第三のマッピング関係に従ってデータ量を決定するステップであって、前記第三のマッピング関係は、前記データ量と前記ターゲットリソースとのマッピング関係を含み、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含む、ステップと、
前記ターゲットリソースと第四のマッピング関係に従って持続時間を決定するステップであって、前記第四のマッピング関係は、前記持続時間と前記ターゲットリソースとのマッピング関係を含み、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含む、ステップと、
前記ターゲットリソースと第五のマッピング関係に従って遅延需要を決定するステップであって、前記第五のマッピング関係は、前記遅延需要と前記ターゲットリソースとのマッピング関係を含み、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含む、ステップと、
前記ターゲットリソースと第六のマッピング関係に従って信頼性需要を決定するステップであって、第六のマッピング関係は、前記信頼性需要と前記ターゲットリソースとのマッピング関係を含み、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含む、ステップと、
前記ターゲットリソースと第七のマッピング関係に従って重複送信回数を決定するステップであって、前記第七のマッピング関係は、前記重複送信回数と前記ターゲットリソースとのマッピング関係を含み、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含む、ステップと、
前記ターゲットリソースと第八のマッピング関係に従って通信距離を決定するステップであって、前記第八のマッピング関係は、前記通信距離と前記ターゲットリソースとのマッピング関係を含み、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含む、ステップと、
前記ターゲットリソースと第九のマッピング関係に従って送信レートを決定するステップであって、前記第九のマッピング関係は、前記送信レートと前記ターゲットリソースとのマッピング関係を含み、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含む、ステップと、
前記ターゲットリソースと第十のマッピング関係に従ってデータレートを決定するステップであって、第十のマッピング関係は、前記データレートと前記ターゲットリソースとのマッピング関係を含み、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含む、ステップのうちの少なくとも１つを実行するように構成される。
【０１０２】
上記実施例によるリ上記実施例によるリ端末装置を通して、専用リソースおよび／または専用リソースフォーマットによって送信されたＳＲを受信した後、ＳＬ上で送信する必要があるデータを有すること、又はＳＬのＢＳＲがスケジューリングリクエストＳＲをトリガーすることを決定し、専用リソースおよび／または専用リソースフォーマットによって優先度情報、送信方法、データ量、持続時間、遅延需要、信頼性需要、重複送信回数、通信距離、送信レート、データレートのうちの少なくとも１つを決定し、これによって、端末装置によって送信されたＢＳＲを受信することなく、優先度情報、送信方法、データ量、持続時間、遅延需要、信頼性需要、重複送信回数、通信距離、送信レート、データレートのうちの少なくとも１つに従って精確的に端末装置のためにデータを送信するリソースをスケジューリングすることができるので、上述の実施例は、送信データをスケジューリングするための相互作用の流れを簡略化し、さらに通信システムの通信遅延を減少させることができる。
【０１０３】
さらに、図６を参照すると、本出願の実施例は、プロセッサ６１、メモリ６２、およびメモリ６２に格納され且つプロセッサ６１上で実行可能なコンピュータプログラムを含むリソーススケジューリングデバイスをさらに提供し、前記コンピュータプログラムがプロセッサによって実行されるとき、上記の実施例で説明されたリソーススケジューリング方法のステップを実現する。
【０１０４】
本発明の実施例は、コンピュータプログラムが記憶されたコンピュータ読み取り可能な記憶媒体をさらに提供し、このコンピュータプログラムがプロセッサによって実行されるときに、上記の実施例におけるリソーススケジューリング方法の各ステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスクまたは光ディスクなどである。
【０１０５】
また、本明細書において、「含む」、「有する」という用語、およびその他の任意の変形は、非排他的な包含をカバーすることを意図しており、例えば、一連の要素を含むプロセス、方法、物品、または装置は、それらの要素を含むだけではなく、明示的にリストアップされてはいない他の要素、またはそのようなプロセス、方法、物品もしくは装置に固有のその他の要素を含み得る、ということに留意すべきである。これ以上の制限がない場合、「．．．を含む」という文で限定された要素は、その要素を含むプロセス、方法、物品、または装置の内に他の同一の要素が存在することを排除するものではない。
【０１０６】
上記の実施形態の説明を通じて、当業者は、上記の実施形態の方法が、ソフトウェアおよび必要な汎用ハードウェアプラットフォームによって実現され得ることを明確に理解することができる。もちろん、ハードウェアによっても実施できるが、多くの場合、前者の方が優れている。この理解に基づいて、本出願の技術的なソリューションの本質または先行技術に寄与する部分は、ソフトウェア製品の形で体現することができ、このコンピュータソフトウェア製品が一つの記憶媒体（ＲＯＭ／ＲＡＭ、磁気ディスク、光ディスク）に収納されて、１台の端末（携帯電話、コンピュータ、サーバ、エアコン、またはネットワークデバイスなどであり得る）に本出願の各実施例に記載のリソーススケジューリング方法を実行させるためのいくつかの命令を含む。
【０１０７】
以上は、添付の図面に関して本出願の実施例についての説明であって、本出願は上記の具体的な実施形態に限定されないものであって、上記の具体的な実施形態は、例示的にすぎず、限定的ではなく、当業者は、本出願の啓発の下で、本出願の主旨および請求項の保護範囲から逸脱することなく、多くの形態を作成することができ、いずれも本出願の保護範囲内に含まれるものである。
【符号の説明】
【０１０８】
１１  リソーススケジューリングデバイス
１２  第１の端末装置
１３  第２の端末装置
３００  端末装置
３１  送信ユニット
３２  決定ユニット
５００  リソーススケジューリングデバイス
５１  受信ユニット
５２  スケジューリングユニット
５３  処理ユニット
６１  プロセッサ
６２  メモリ
【図１】
2022501947.tif 000003
【図２】
2022501947.tif 000004
【図３】
2022501947.tif 000005
【図４】
2022501947.tif 000006
【図５】
2022501947.tif 000007
【図６】
2022501947.tif 000008
【手続補正書】
【提出日】令和3年3月31日(2021.3.31)
【手続補正１】
【補正対象書類名】明細書
【補正対象項目名】００３３
【補正方法】変更
【補正の内容】
【００３３】
さらに、上記ステップＳ１１（ターゲットリソースを介してＳＲをリソーススケジューリングデバイスに送信する）の前に、本出願の実施例による方法は、
端末装置は、ターゲットデータパケット、ターゲットデータストリーム、前記ターゲットサービス、ターゲット論理チャネル、ターゲット無線ベアラ、前記端末装置、ターゲット無線アクセスタイプＲＡＴ、ターゲットリソース識別子、ターゲット目的識別子のうちの少なくとも１つに従って、前記ターゲットリソースを決定するステップであって、
前記ターゲットデータパケットは、前記送信する必要のあるデータのデータパケットまたは前記ＢＳＲによって報告されたデータバッファ状態によって示されたデータのデータパケットであり、前記ターゲットデータストリームは、前記送信する必要のあるデータのデータストリームまたは前記ＢＳＲによって報告されたデータバッファ状態によって示されたデータのデータストリームであり、前記ターゲット論理チャネルは、前記送信する必要のあるデータをマッピングする論理チャネル、または前記ＢＳＲによって報告されたデータバッファ状態によって示されたデータをマッピングする論理チャネルであり、前記ターゲット無線ベアラは、前記送信する必要のあるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ステップを含む。
【手続補正２】
【補正対象書類名】明細書
【補正対象項目名】００３４
【補正方法】変更
【補正の内容】
【００３４】
また、端末装置は、ターゲットデータパケット、ターゲットデータストリーム、前記ターゲットサービス、ターゲット論理チャネル、ターゲット無線ベアラ、前記端末装置、ターゲット無線アクセスタイプ（Ｒａｄｉｏ  Ａｃｃｅｓｓ  Ｔｙｐｅ，ＲＡＴ）、ターゲットリソース識別子、ターゲット目的識別子のうちの少なくとも１つに従って、前記ターゲットリソースを決定する場合、本出願の実施例による方法は、
リソーススケジューリングデバイスは、前記ターゲットリソースに従って、ターゲットデータパケット、ターゲットデータストリーム、前記ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つを決定する、ステップと、
リソーススケジューリングデバイスは、前記ターゲットデータパケット、ターゲットデータフロー、ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つ、及び前記ＳＲに従って、前記端末装置のためにＳＬ送信リソースを設定する、ステップとをさらに含む。
【手続補正３】
【補正対象書類名】明細書
【補正対象項目名】００３５
【補正方法】変更
【補正の内容】
【００３５】
ここで、前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される。
【手続補正４】
【補正対象書類名】明細書
【補正対象項目名】００４２
【補正方法】変更
【補正の内容】
【００４２】
さらに任意選択で、上記端末装置は、ターゲットデータパケット、ターゲットデータストリーム、前記ターゲットサービス、ターゲット論理チャネル、ターゲット無線ベアラ、前記端末装置、ターゲット無線アクセスタイプＲＡＴ、ターゲットソース識別子、ターゲット目的識別子のうちの少なくとも１つに従って、前記ターゲットリソースを決定し、具体的には、次の１〜１０のうちの少なくとも１つによって実行される。
【手続補正５】
【補正対象書類名】明細書
【補正対象項目名】００５２
【補正方法】変更
【補正の内容】
【００５２】
十、データレート（Ｄａｔａ  ｒａｔｅ）と第十のマッピング関係に従って、前記ターゲットリソースを決定する。
ここで、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、前記第十のマッピング関係は、前記データレートと前記ターゲットリソースとのマッピング関係を含む。
すなわち、異なるデータレートは、異なるターゲットリソースに対応する。
【手続補正６】
【補正対象書類名】明細書
【補正対象項目名】００６９
【補正方法】変更
【補正の内容】
【００６９】
例えば、前記送信する必要のあるデータをマッピングする論理チャネルまたは前記ＢＳＲによって報告されたデータバッファ状態によって示されたデータをマッピングする論理チャネルが、論理チャネルＡ（ターゲット論理チャネルは論理チャネルＡである）とされ、前記論理チャネルＡの重複送信回数が、Ｎ（Ｎは０より大きい正の整数である）とされ、前記論理チャネルＡの重複送信回数Ｎと第七のマッピング関係に従って、ＳＲを送信するためのリソースが端末装置によってターゲットリソース３またはターゲットリソース４またはターゲットリソース５として決定され、前記送信する必要があるデータの属するサービスまたは前記ＢＳＲによって報告されたデータバッファ状態によって示されたデータの属するサービスがサービスＢ（ターゲットサービスはサービスＢである）とされ、前記サービスＢの通信距離と第八のマッピング関係に従って、ＳＲを送信するためのリソースが端末装置によってターゲットリソース４またはターゲットリソース６またはターゲットリソース７として決定されてもよいので、ＳＲを送信するためのリソースが端末装置によってターゲットリソース４として決定される場合、リソーススケジューリングデバイスは、端末装置がターゲットリソース４を介して送信したＳＲを受信した後、ターゲットリソース、第７のマッピング関係および第８のマッピング関係に従って、前記送信する必要のあるデータをマッピングする論理チャネルまたは前記ＢＳＲによって報告されたデータバッファ状態によって示されたデータをマッピングする論理チャネルの重複送信回数Ｎ、および前記送信する必要があるデータの属するサービスまたは前記ＢＳＲによって報告されたデータバッファ状態によって示されたデータの属するサービスの通信距離を決定することができ、前記送信する必要のあるデータをマッピングする論理チャネルまたは前記ＢＳＲによって報告されたデータバッファ状態によって示されたデータをマッピングする論理チャネルの重複送信回数Ｎ、および前記送信する必要があるデータの属するサービスまたは前記ＢＳＲによって報告されたデータバッファ状態によって示されたデータの属するサービスの通信距離、および前記ＳＲに従って、前記端末装置のためにＳＬ送信リソースを設定することができる。
【手続補正７】
【補正対象書類名】明細書
【補正対象項目名】００７５
【補正方法】変更
【補正の内容】
【００７５】
任意選択で、図３を参照すると、前記端末装置３００は、
ターゲットデータパケット、ターゲットデータストリーム、ターゲットサービス、ターゲット論理チャネル、ターゲット無線ベアラ、前記端末装置、前記端末装置、ターゲット無線アクセスタイプＲＡＴ、ターゲットソース識別子、ターゲット目的識別子のうちの少なくとも１つに従って、前記ターゲットリソースを決定するように構成されるユニット３２であって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ユニット３２をさらに含む。
【手続補正８】
【補正対象書類名】明細書
【補正対象項目名】０１００
【補正方法】変更
【補正の内容】
【０１００】
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される。
【手続補正９】
【補正対象書類名】特許請求の範囲
【補正対象項目名】全文
【補正方法】変更
【補正の内容】
【特許請求の範囲】
【請求項１】
サイドリンクＳＬ上で送信する必要があるデータを有する場合、またはＳＬのバッファ状態レポートＢＳＲがスケジューリングリクエストＳＲをトリガーする場合、ターゲットリソースを介してリソーススケジューリングデバイスにＳＲを送信するように構成される送信ユニットであって、
前記ＳＲは、端末装置のＳＬ送信リソースを構成するようにリソーススケジューリング装置に要求するように構成される送信ユニットを含むことを特徴とする端末装置。
【請求項２】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースである、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットであることを特徴とする請求項１に記載の方法。
【請求項３】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、ターゲットリソースおよび／またはターゲットリソースのフォーマットが通信プロトコルによって指定されていることを特徴とする、請求項２に記載の端末装置。
【請求項４】
前記端末装置は、
ターゲットデータパケット、ターゲットデータフロー、ターゲットサービス、ターゲット論理チャネル、ターゲット無線ベアラ、前記端末装置、およびターゲット無線アクセスタイプＲＡＴ、ターゲットソース識別子、およびターゲット目的識別子のうちの少なくとも１つに従って、前記ターゲットリソースを決定するように構成される決定ユニットであって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、決定ユニットをさらに含むことを特徴とする請求項１に記載の端末装置。
【請求項５】
前記決定ユニットは、具体的には、
優先度情報と第一のマッピング関係に従って前記ターゲットリソースを決定するステップであって、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む、ステップと、
送信方式と第二のマッピング関係に従って前記ターゲットリソースを決定するステップであって、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む、ステップと、
データ量と第三のマッピング関係に従って前記ターゲットリソースを決定するステップであって、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む、ステップと、
持続時間と第四のマッピング関係に従って前記ターゲットリソースを決定するステップであって、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む、ステップと、
遅延需要と第五のマッピング関係に従って前記ターゲットリソースを決定するステップであって、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、前記第五のマッピング関係は、前記遅延需要と前記ターゲットリソースとのマッピング関係を含む、ステップと、
信頼性需要と第六のマッピング関係に従って前記ターゲットリソースを決定するステップであって、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む、ステップと、
重複送信回数と第七のマッピング関係に従って前記ターゲットリソースを決定するステップであって、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含み、前記第七のマッピング関係は、前記重複送信回数と前記ターゲットリソースとのマッピング関係を含む、ステップと、
通信距離と第八のマッピング関係に従って前記ターゲットリソースを決定するステップであって、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む、ステップと、
送信レートと第九のマッピング関係に従って前記ターゲットリソースを決定するステップであって、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む、ステップと、
データレートと第十のマッピング関係に従って前記ターゲットリソースを決定するステップであって、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、第十のマッピング関係は、前記データレートと前記ターゲットリソースとのマッピング関係を含む、ステップのうちの少なくとも１つを実行することを特徴とする請求項４に記載の端末装置。
【請求項６】
ターゲットリソースを介して端末装置によって送信されたスケジューリングリクェストＳＲを受信するように構成される受信ユニットであって、前記ＳＲは、前記リソーススケジューリングデバイスに、前記端末装置のためにＳＬ上で送信する必要があるデータまたはＳＬのバッファー状態レポートＢＳＲのデータバッファー状態によって指示されたデータのリソースを設定するよう要求する用途に使用される、ように構成される受信ユニットと、
前記ＳＲおよび前記ターゲットリソースに従って、前記端末装置のためにＳＬ送信リソースを設定するように構成されるスケジューリングユニットとを含むことを特徴とするリソーススケジューリングデバイス。
【請求項７】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースである、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットである、
前記受信ユニットはさらに、前記ターゲットリソースおよび／または前記ターゲットリソースのフォーマットに従って、前記端末装置がＳＬ上で送信する必要のあるデータを有すること、またはＳＬのＢＳＲがスケジューリングリクエストＳＲをトリガーすることを決定するように構成されることを特徴とする、前記請求項６に記載のリソーススケジューリングデバイス。
【請求項８】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、前記ターゲットリソースおよび／または前記ターゲットリソースのフォーマットは、通信プロトコルによって指定されていることを特徴とする、前記請求項７に記載のリソーススケジューリングデバイス。
【請求項９】
前記リソーススケジューリングデバイスは、
前記ターゲットリソースに従って、ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つを決定するように構成される処理ユニットと、
具体的に、前記ターゲットデータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、およびターゲット目的識別子のうちの少なくとも１つ、及び前記ＳＲに従って、前記端末装置のためにＳＬ送信リソースを設定するように構成されるスケジューリングユニットとをさらに含み、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成されることを特徴とする、請求項６に記載のリソーススケジューリングデバイス。
【請求項１０】
前記処理ユニットは、具体的には、
前記ターゲットリソースと第一のマッピング関係に従って優先度情報を決定するステップであって、前記第一のマッピング関係は、前記優先度情報と前記ターゲットリソースとのマッピング関係を含み、前記優先度情報は、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含む、ステップと、
前記ターゲットリソースと第二のマッピング関係に従って送信方式を決定するステップであって、前記第二のマッピング関係は、前記送信方法と前記ターゲットリソースとのマッピング関係を含み、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含む、ステップと、
前記ターゲットリソースと第三のマッピング関係に従ってデータ量を決定するステップであって、前記第三のマッピング関係は、前記データ量と前記ターゲットリソースとのマッピング関係を含み、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含む、ステップと、
前記ターゲットリソースと第四のマッピング関係に従って持続時間を決定するステップであって、前記第四のマッピング関係は、前記持続時間と前記ターゲットリソースとのマッピング関係を含み、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含む、ステップと、
前記ターゲットリソースと第五のマッピング関係に従って遅延需要を決定するステップであって、前記第五のマッピング関係は、前記遅延需要と前記ターゲットリソースとのマッピング関係を含み、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含む、ステップと、
前記ターゲットリソースと第六のマッピング関係に従って信頼性需要を決定するステップであって、第六のマッピング関係は、前記信頼性需要と前記ターゲットリソースとのマッピング関係を含み、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含む、ステップと、
前記ターゲットリソースと第七のマッピング関係に従って重複送信回数を決定するステップであって、前記第七のマッピング関係は、前記重複送信回数と前記ターゲットリソースとのマッピング関係を含み、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含む、ステップと、
前記ターゲットリソースと第八のマッピング関係に従って通信距離を決定するステップであって、前記第八のマッピング関係は、前記通信距離と前記ターゲットリソースとのマッピング関係を含み、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含む、ステップと、
前記ターゲットリソースと第九のマッピング関係に従って送信レートを決定するステップであって、前記第九のマッピング関係は、前記送信レートと前記ターゲットリソースとのマッピング関係を含み、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含む、ステップと、
前記ターゲットリソースと第十のマッピング関係に従ってデータレートを決定するステップであって、第十のマッピング関係は、前記データレートと前記ターゲットリソースとのマッピング関係を含み、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含む、ステップとのうち少なくとも１つを実行することを特徴とする、請求項９に記載のリソーススケジューリングデバイス。
【請求項１１】
サイドリンクＳＬ上で送信する必要があるデータを有する場合、またはＳＬのバッファ状態レポートＢＳＲがスケジューリングリクエストＳＲをトリガーする場合、ターゲットリソースを介してリソーススケジューリングデバイスにＳＲを送信するステップであって、
前記ＳＲは、前記リソーススケジューリングデバイスに、前記端末装置のためにＳＬ送信リソースを設定するよう要求するために使用される、ステップを含む、端末装置に適用されるリソーススケジューリング方法。
【請求項１２】
前記ターゲットリソースは、ＳＬ上で送信する必要があるデータを有する場合またはＳＬのＢＳＲがＳＲをトリガーする場合、前記端末装置が前記リソーススケジューリングデバイスにＳＲを送信する専用リソースであり、および／または、
前記ターゲットリソースのフォーマットは、ＳＬ上に送信する必要があるデータを有する場合またはＳＬのＢＳＲがＳＲをトリガーする場合、前記端末装置が前記リソーススケジューリングデバイスにＳＲを送信するリソースの専用フォーマットであることを特徴とする請求項１１に記載の方法。
【請求項１３】
前記ターゲットリソースおよび／または前記ターゲットリソースのフォーマットは、前記端末装置のためにネットワーク側デバイスによって設定される、
または、前記ターゲットリソースおよび／または前記ターゲットリソースのフォーマットは、事前定義されている、
または、前記ターゲットリソースおよび／または前記ターゲットリソースのフォーマットは、通信プロトコルによって指定されていることを特徴とする、請求項１２に記載の方法。
【請求項１４】
前記方法は、前記ターゲットリソースを介して前記リソーススケジューリングデバイスにＳＲを送信する前に、
ターゲットデータパケット、ターゲットデータフロー、ターゲットサービス、ターゲット論理チャネル、ターゲット無線ベアラ、前記端末装置、およびターゲット無線アクセスタイプＲＡＴ、ターゲットソース識別子、およびターゲット目的識別子の少なくとも１つに従って、前記ターゲットリソースを決定するステップであって、
前記ターゲットデータパケットは、前記送信する必要があるデータのデータパケットまたは前記ＢＳＲによって報告されたデータバッファ状態によって示されたデータのデータパケットであり、前記ターゲットデータストリームは、前記送信する必要があるデータのデータストリームまたは前記ＢＳＲによって報告されたデータバッファ状態によって示されたデータのデータストリームであり、前記ターゲットサービスは、前記送信する必要のあるデータの属するサービスまたは前記ＢＳＲによって報告されたデータバッファ状態によって示されたデータの属するサービスであり、前記ターゲット論理チャネルは、前記送信する必要のあるデータをマッピングする論理チャネルまたは前記ＢＳＲによって報告されたデータバッファ状態によって示されたデータをマッピングする論理チャネルであり、前記ターゲット無線ベアラは、前記送信する必要があるデータまたは前記ＢＳＲによって報告されたデータバッファ状態によって指示されたデータをベアラする無線ベアラであり、前記ターゲットソース識別子は、前記送信する必要があるデータまたは前記ＢＳＲによって報告されたデータバッファ状態によって示されたデータの送信端の端末装置アドレスまたはサービスアドレスまたはメディアアクセス制御ＭＡＣアドレスまたは物理層アドレスを識別するように構成され、前記ターゲット目的識別子は、前記送信する必要があるデータまたは前記ＢＳＲによって報告されたデータバッファ状態によって示されたデータの受信端の端末装置アドレスまたはサービスアドレスまたはＭＡＣ層アドレスまたは物理層アドレスを識別するように構成される、ステップをさらに含む請求項１１に記載の方法。
【請求項１５】
前記ターゲットリソースは、ターゲッータパケット、ターゲットデータストリーム、ターゲットサービス、ターゲット論理チャネル、ターゲット無線ベアラ、前記端末装置、ターゲット無線アクセスタイプＲＡＴ、ターゲットソース識別子、ターゲット目的識別子の少なくとも１つに従って決定され、
優先度情報と第一のマッピング関係に従って前記ターゲットリソースを決定するステップであって、前記優先度情報には、前記ターゲットデータパケットの優先度、前記ターゲットデータストリームの優先度、前記ターゲットサービスの優先度、前記ターゲット論理チャネルの優先度、前記端末装置の優先度、前記ターゲットＲＡＴの優先度、前記ターゲットソース識別子の優先度、前記ターゲット目的識別子の優先度のうちの少なくとも１つを含み、前記第一のマッピング関係は、前記優先度情報と前記ターゲットリソースとのマッピング関係を含む、ステップと、
送信方式と第二のマッピング関係に従って前記ターゲットリソースを決定するステップであって、前記送信方法は、前記ターゲットデータパケットの送信方法、前記ターゲットデータストリームの送信方法、前記ターゲットサービスの送信方法、前記ターゲット論理チャネルの送信方法、前記端末装置の送信方法、前記ターゲットＲＡＴの送信方法、前記ターゲットソース識別子の送信方法、前記ターゲット目的識別子の送信方法のうちの少なくとも１つを含み、前記第二のマッピング関係は、送信方法とターゲットリソースとのマッピング関係を含む、ステップと、
データ量と第三のマッピング関係に従って前記ターゲットリソースを決定するステップであって、前記データ量は、前記ターゲットデータパケットのデータ量、前記ターゲットデータストリームのデータ量、前記ターゲットサービスのデータ量、前記ターゲット論理チャネルのデータ量、前記端末装置のデータ量、前記ターゲットＲＡＴのデータ量、前記ターゲットソース識別子のデータ量、前記ターゲット目的識別子のデータ量のうちの少なくとも１つを含み、前記第三のマッピング関係は、前記データ量と前記ターゲットリソースとのマッピング関係を含む、ステップと、
持続時間と第四のマッピング関係に従って前記ターゲットリソースを決定するステップであって、前記持続時間は、前記ターゲットデータパケットの持続時間、前記ターゲットデータストリームの持続時間、前記ターゲットサービスの持続時間、前記ターゲット論理チャネルの持続時間、前記端末装置の持続時間、前記ターゲットＲＡＴの持続時間、前記ターゲットソース識別子の持続時間、前記ターゲット目的識別子の持続時間のうちの少なくとも１つを含み、前記第四のマッピング関係は、前記持続時間と前記ターゲットリソースとのマッピング関係を含む、ステップと、
遅延需要と第五のマッピング関係に従って前記ターゲットリソースを決定するステップであって、前記遅延需要は、前記ターゲットデータパケットの遅延需要、前記ターゲットデータストリームの遅延需要、前記ターゲットサービスの遅延需要、前記ターゲット論理チャネルの遅延需要、前記端末装置の遅延需要、前記ターゲットＲＡＴの遅延需要、前記ターゲットソース識別子の遅延需要、前記ターゲット目的識別子の遅延需要のうちの少なくとも１つを含み、前記第五のマッピング関係は、前記遅延需要と前記ターゲットリソースとのマッピング関係を含む、ステップと、
信頼性需要と第六のマッピング関係に従って前記ターゲットリソースを決定するステップであって、前記信頼性需要は、前記ターゲットデータパケットの信頼性需要、前記ターゲットデータストリームの信頼性需要、前記ターゲットサービスの信頼性需要、前記ターゲット論理チャネルの信頼性需要、前記端末装置の信頼性需要、前記ターゲットＲＡＴの信頼性需要、前記ターゲットソース識別子の信頼性需要、前記ターゲット目的識別子の信頼性需要のうちの少なくとも１つを含み、第六のマッピング関係は、前記信頼性需要と前記ターゲットリソースとのマッピング関係を含む、ステップと、
重複送信回数と第七のマッピング関係に従って前記ターゲットリソースを決定するステップであって、前記重複送信回数は、前記ターゲットデータパケットの重複送信回数、前記ターゲットデータストリームの重複送信回数、前記ターゲットサービスの重複送信回数、前記ターゲット論理チャネルの重複送信回数、前記端末装置の重複送信回数、前記ターゲットＲＡＴの重複送信回数、前記ターゲットソースの重複送信回数、前記ターゲット目的識別子の重複送信回数のうちの少なくとも１つを含み、前記第七のマッピング関係は、前記重複送信回数と前記ターゲットリソースとのマッピング関係を含む、ステップと、
通信距離と第八のマッピング関係に従って前記ターゲットリソースを決定するステップであって、前記通信距離は、前記ターゲットデータパケットの通信距離、前記ターゲットデータストリームの通信距離、前記ターゲットサービスの通信距離、前記ターゲット論理チャネルの通信距離、前記端末装置の通信距離、前記ターゲットＲＡＴの通信距離、前記ターゲットソース識別子の通信距離、前記ターゲット目的識別子の通信距離のうちの少なくとも１つを含み、前記第八のマッピング関係は、前記通信距離と前記ターゲットリソースとのマッピング関係を含む、ステップと、
送信レートと第九のマッピング関係に従って前記ターゲットリソースを決定するステップであって、前記送信レートは、前記ターゲットデータパケットの送信レート、前記ターゲットデータストリームの送信レート、前記ターゲットサービスの送信レート、前記ターゲット論理チャネルの送信レート、前記端末装置の送信レート、前記ターゲットＲＡＴの送信レート、前記ターゲットソース識別子の送信レート、前記ターゲット目的識別子の送信レートのうちの少なくとも１つを含み、前記第九のマッピング関係は、前記送信レートと前記ターゲットリソースとのマッピング関係を含む、ステップと、
データレートと第十のマッピング関係に従って前記ターゲットリソースを決定するステップであって、前記データレートは、前記ターゲットデータパケットのデータレート、前記ターゲットデータストリームのデータレート、前記ターゲットサービスのデータレート、前記ターゲット論理チャネルのデータレート、前記端末装置のデータレート、前記ターゲットＲＡＴのデータレート、前記ターゲットソース識別子のデータレート、前記ターゲット目的識別子のデータレートのうちの少なくとも１つを含み、第十のマッピング関係は、前記データレートと前記ターゲットリソースとのマッピング関係を含む、ステップのうちの少なくとも１つを実行することを特徴とする請求項１４に記載の方法。
【請求項１６】
ターゲットリソースを介して端末装置によって送信されたスケジューリングリクエストＳＲを受信するステップであって、前記ＳＲは、前記リソーススケジューリングデバイスに、前期端末装置のためにサイドリンクＳＬ上で送信する必要があるデータまたはＳＬのバッファ状態レポートＢＳＲのデータバッファ状態によって指示されたデータのリソースを設定するように構成される、ステップと、
前記ＳＲと前記ターゲットリソースに従って、前記端末装置のためにＳＬ送信リソースを設定するステップとを含む、リソーススケジューリングデバイスに適用されるリソーススケジューリング方法。
【国際調査報告】
2022501947.tif 000009
2022501947.tif 000010
2022501947.tif 000011
2022501947.tif 000012